(57)【要約】【課題】無線LAN  AP設定の利便性の向上。【解決手段】無線LAN  AP(AP)は、APのURI情報を取得し、無線端末に、URI情報を取得させ、無線LAN  IFによりAPの識別子をブロードキャストし、無線端末によりブロードキャストされた無線フレームから無線端末の識別子を取得し、有線NW側から、無線LAN設定情報フレームを受信し、該無線LAN設定情報フレームに含まれるAP及び無線端末の識別子に基づいて、無線LAN設定情報の正当性を判断し、該無線LAN設定情報を設定する。無線端末は、APのURI情報を取得し、APの識別子を受信し、無線LAN  IFにより、無線端末の識別子を付帯した無線フレームをブロードキャストし、無線LAN設定情報を作成し、無線WAN  IFにより、APのURI情報に基づく宛先に、無線LAN設定情報と、AP及び無線端末の識別子とを含む無線LAN設定情報フレームを送信する。【選択図】図２
2010258783.tif 000002
【特許請求の範囲】
【請求項１】
無線WANインターフェース及び無線LANインターフェースを有する無線通信端末と、有線ネットワークに接続される無線LANアクセスポイントとの間における無線通信制御方法であって、
前記無線LANアクセスポイントは、
当該無線LANアクセスポイントのユーアールアイ情報を取得するユーアールアイ情報取得ステップと、
前記無線通信端末に、前記ユーアールアイ情報取得ステップにより取得されたユーアールアイ情報を取得させるユーアールアイ情報通知ステップと、
前記無線LANインターフェースにより、当該無線LANアクセスポイントの識別子をブロードキャストする無線LANアクセスポイント識別子通知ステップと、
前記無線通信端末によりブロードキャストされた無線フレームに含まれる無線通信端末の識別子を取得する無線通信端末識別子取得ステップと、
前記有線ネットワーク側から、前記無線通信端末により送信された無線LAN設定情報フレームを受信する無線LAN設定情報フレーム受信ステップと、
該無線LAN設定情報フレーム受信ステップにより受信された無線LAN設定情報フレームに含まれる無線LANアクセスポイントの識別子及び無線端末の識別子に基づいて、無線LAN設定情報の正当性を判断する正当性判断ステップと、
該正当性判断ステップにより前記無線LAN設定情報フレーム受信ステップにより受信された無線LAN設定情報フレームに含まれる無線LAN設定情報が正当であると判断された場合に、該無線LAN設定情報を設定する無線LAN設定情報設定ステップと
を有し、
前記無線通信端末は、
前記無線LANアクセスポイントのユーアールアイ情報を取得するユーアールアイ情報取得ステップと、
前記無線LANアクセスポイントによりブロードキャストされた該無線LANアクセスポイントの識別子を受信する無線LANアクセスポイント識別子受信ステップと、
無線LANインターフェースにより、当該無線通信端末の識別子を付帯した無線フレームをブロードキャストする無線通信端末識別子通知ステップと、
前記無線LANアクセスポイントに対する無線LAN設定に関する無線LAN設定情報を作成する無線LAN設定情報作成ステップと、
前記無線WANインターフェースにより、前記ユーアールアイ情報受信ステップにより受信された前記無線LANアクセスポイントのユーアールアイ情報に基づいて決定される宛先に、前記無線LAN設定情報作成ステップにより作成された無線LAN設定情報と、前記無線LANアクセスポイント識別子受信ステップにより受信された前記無線LANアクセスポイントの識別子と、当該無線端末の識別子とを含む無線LAN設定情報フレームを送信する無線LAN設定情報フレーム送信ステップと
を有する無線通信制御方法。
【請求項２】
請求項１に記載の無線通信制御方法において、
前記無線LANアクセスポイントは、
当該無線LANアクセスポイントのユーアールエルを登録するユーアールエル登録ステップと、
ネームサーバに、前記ユーアールエル登録ステップにより登録されたユーアールエルと、当該無線LANアクセスポイントが属するローカルネットワークのグローバルアドレスとの対応を登録するように要求する登録要求ステップと、
前記無線通信端末に、前記ユーアールエル登録ステップにより登録されたユーアールエルを認識させるユーアールエル通知ステップと
を有し、
前記無線通信端末は、
前記無線LANアクセスポイントのユーアールエルを取得するユーアールエル取得ステップと、
前記無線WANインターフェースにより、前記ユーアールエル取得ステップにより取得されたユーアールエルに対応するグローバルアドレスを前記ネームサーバに要求するグローバルアドレス要求ステップと
を有し、
前記ユーアールアイ情報取得ステップでは、前記グローバルアドレス要求ステップによる要求に対する応答として前記ネームサーバにより送信された前記無線LANアクセスポイントのグローバルアドレスを取得する無線通信制御方法。
【請求項３】
請求項１に記載の無線通信制御方法において、
前記ユーアールアイ情報取得ステップでは、前記無線LANアクセスポイントに付された前記無線LANアクセスポイントのユーアールアイを読み取ることにより、前記無線LANアクセスポイントのユーアールアイ情報を取得する無線通信制御方法。
【請求項４】
請求項１に記載の無線通信制御方法において、
前記ユーアールアイ情報取得ステップでは、前記無線LANアクセスポイントとの間で、近距離無線通信技術又は近接無線通信技術により無線通信を行うことにより前記無線LANアクセスポイントのユーアールアイ情報を取得する無線通信制御方法。
【請求項５】
請求項１に記載の無線通信制御方法において、
前記ユーアールアイ情報通知ステップでは、前記無線LANインターフェースにより、前記ユーアールアイ情報取得ステップにより取得されたユーアールアイ情報を付帯した無線LANフレームを無線送信し、
前記ユーアールアイ情報取得ステップでは、前記ユーアールアイ情報通知ステップにより無線送信された無線LANフレームを受信することにより、前記無線LANアクセスポイントのユーアールアイ情報を取得する無線通信制御方法。
【請求項６】
請求項１に記載の無線通信制御方法において、
前記無線LAN設定情報作成ステップでは、前記無線LANアクセスポイントのエスエスアイディー、無線LAN通信用の暗号鍵、無線LAN通信で利用する周波数チャネル、前記無線LANアクセスポイントのビーコンの送信周期、前記無線LANアクセスポイント及び無線LANセルに収容される前記無線LAN通信端末のランダムバックオフパラメータのいずれか１つを作成する無線通信制御方法。
【請求項７】
請求項１に記載の無線通信制御方法において、
前記ユーアールアイ情報通知ステップでは、前記無線LANインターフェースにより、当該無線LANアクセスポイントの属するネットワークのグローバルアドレス及び当該無線LANアクセスポイントと通信可能なポート番号を含むビーコンを無線送信し、
前記ユーアールアイ情報取得ステップでは、前記無線LANアクセスポイントにより送信された前記グローバルアドレス及びポート番号を受信し、
前記無線LAN設定情報フレーム送信ステップでは、前記ユーアールアイ情報取得ステップにより取得された前記グローバルアドレス及びポート番号を宛先とする無線通信制御方法。
【請求項８】
請求項２に記載の無線通信制御方法において、
前記無線LAN設定情報フレーム送信ステップでは、前記ユーアールアイ情報取得ステップにより取得された前記グローバルアドレス、及び前記無線LANアクセスポイントと通信可能なポート番号を宛先とする無線通信制御方法。
【請求項９】
請求項１に記載の無線通信制御方法において、
前記正当性判断ステップでは、前記無線LAN設定情報フレーム受信ステップにより受信された無線LAN設定情報フレームに含まれる無線通信端末の識別子が、前記無線通信端末識別子取得ステップにより前記無線通信端末によりブロードキャストされた無線フレームから取得された無線通信端末の識別子と一致する場合に、該無線LAN設定情報が正当であると判断する無線通信制御方法。
【請求項１０】
請求項１に記載の無線通信制御方法において、
無線通信端末識別子取得ステップでは、受信強度が所定以上の無線フレームに含まれる無線通信端末の識別子を有効とする無線通信制御方法。
【請求項１１】
請求項１に記載の無線通信制御方法において、
前記正当性判断ステップでは、前記無線通信端末識別子取得ステップにより無線通信端末の識別子が取得されてから、所定の期間内に、前記無線LAN設定情報受信ステップにより受信された無線通信端末の識別子を有効とする無線通信制御方法。
【請求項１２】
請求項１に記載の無線通信制御方法において、
前記無線通信端末識別子通知ステップでは、当該無線通信端末が無線WAN通信で使用する識別子をブロードキャストし、
前記正当性判断ステップでは、前記無線通信端末識別子取得ステップにより取得された無線通信端末が無線WAN通信で使用する識別子が、当該無線LANアクセスポイントに予め登録された前記無線通信端末が無線WAN通信で使用する識別子と一致する場合に、正当であると判断する無線通信制御方法。
【請求項１３】
請求項１に記載の無線通信制御方法において、
前記正当性判断ステップでは、前記無線LAN設定情報受信ステップにより受信された無線LAN設定情報フレームに含まれる無線LANアクセスポイントの識別子と、当該無線LANアクセスポイントの識別子とが一致する場合に、前記無線LAN設定情報が正当であると判断する無線設定方法。
【請求項１４】
請求項１に記載の無線通信制御方法において、
前記無線LANアクセスポイント識別子通知ステップでは、当該無線LANアクセスポイントの識別子を送信する際に、到達距離が短くなるように送信電力を制限する無線通信制御方法。
【請求項１５】
請求項１に記載の無線通信制御方法において、
前記無線LANアクセスポイントは、
前記正当性判断ステップにより前記無線LAN設定情報フレーム受信ステップにより受信された無線LAN設定情報フレームが当該無線LANアクセスポイント宛でないと判断された場合に、有線ネットワーク側に、前記無線LAN設定情報フレームをブロードキャストする無線LAN設定情報フレームブロードキャストステップ
有する無線通信制御方法。
【請求項１６】
無線WANインターフェース及び無線LANインターフェースを有する無線通信端末と、有線ネットワークに接続される無線LANアクセスポイントとを有するシステムであって、
前記無線LANアクセスポイントは、
当該無線LANアクセスポイントのユーアールアイ情報を取得するユーアールアイ情報取得部と、
前記無線通信端末に、前記ユーアールアイ情報取得部により取得されたユーアールアイ情報を取得させるユーアールアイ情報通知部と、
前記無線LANインターフェースにより、当該無線LANアクセスポイントの識別子をブロードキャストする無線LANアクセスポイント識別子通知部と、
前記無線通信端末によりブロードキャストされた無線フレームに含まれる無線通信端末の識別子を取得する無線通信端末識別子取得部と、
前記有線ネットワーク側から、前記無線通信端末により送信された無線LAN設定情報フレームを受信する無線LAN設定情報フレーム受信部と、
該無線LAN設定情報フレーム受信部により受信された無線LAN設定情報フレームに含まれる無線LANアクセスポイントの識別子及び無線端末の識別子に基づいて、無線LAN設定情報の正当性を判断する正当性判断部と、
該正当性判断部により前記無線LAN設定情報フレーム受信部により受信された無線LAN設定情報フレームに含まれる無線LAN設定情報が正当であると判断された場合に、該無線LAN設定情報を設定する無線LAN設定情報設定部と
を有し、
前記無線通信端末は、
前記無線LANアクセスポイントのユーアールアイ情報を取得するユーアールアイ情報取得部と、
前記無線LANアクセスポイントによりブロードキャストされた該無線LANアクセスポイントの識別子を受信する無線LANアクセスポイント識別子受信部と、
無線LANインターフェースにより、当該無線通信端末の識別子を付帯した無線フレームをブロードキャストする無線通信端末識別子通知部と、
前記無線LANアクセスポイントに対する無線LAN設定に関する無線LAN設定情報を作成する無線LAN設定情報作成部と、
前記無線WANインターフェースにより、前記ユーアールアイ情報受信部により受信された前記無線LANアクセスポイントのユーアールアイ情報に基づいて決定される宛先に、前記無線LAN設定情報作成部により作成された無線LAN設定情報と、前記無線LANアクセスポイント識別子受信部により受信された前記無線LANアクセスポイントの識別子と、当該無線端末の識別子とを含む無線LAN設定情報フレームを送信する無線LAN設定情報フレーム送信部と
を有するシステム。
【請求項１７】
無線WANインターフェース及び無線LANインターフェースを有し、有線ネットワークに接続される無線LANアクセスポイントとの間で無線通信設定を行う無線通信端末であって、
前記無線LANアクセスポイントは、当該無線LANアクセスポイントのユーアールアイ情報を取得し、前記無線通信端末に、該ユーアールアイ情報を取得させ、前記無線LANインターフェースにより、当該無線LANアクセスポイントの識別子をブロードキャストし、前記無線通信端末によりブロードキャストされた無線フレームに含まれる無線通信端末の識別子を取得し、前記有線ネットワーク側から、前記無線通信端末により送信された無線LAN設定情報フレームを受信し、該無線LAN設定情報フレームに含まれる無線LANアクセスポイントの識別子及び無線端末の識別子に基づいて、無線LAN設定情報の正当性を判断し、該無線LAN設定情報フレームに含まれる無線LAN設定情報が正当であると判断された場合に、該無線LAN設定情報を設定し、
前記無線通信端末は、
前記無線LANアクセスポイントのユーアールアイ情報を取得するユーアールアイ情報取得部と、
前記無線LANアクセスポイントによりブロードキャストされた該無線LANアクセスポイントの識別子を受信する無線LANアクセスポイント識別子受信部と、
無線LANインターフェースにより、当該無線通信端末の識別子を付帯した無線フレームをブロードキャストする無線通信端末識別子通知部と、
前記無線LANアクセスポイントに対する無線LAN設定に関する無線LAN設定情報を作成する無線LAN設定情報作成部と、
前記無線WANインターフェースにより、前記ユーアールアイ情報受信部により受信された前記無線LANアクセスポイントのユーアールアイ情報に基づいて決定される宛先に、前記無線LAN設定情報作成部により作成された無線LAN設定情報と、前記無線LANアクセスポイント識別子受信部により受信された前記無線LANアクセスポイントの識別子と、当該無線端末の識別子とを含む無線LAN設定情報フレームを送信する無線LAN設定情報フレーム送信部と
を有する無線通信端末。
【請求項１８】
有線ネットワークに接続され、無線WANインターフェース及び無線LANインターフェースを有する無線通信端末との間で、無線通信設定を行う無線LANアクセスポイントであって、
当該無線LANアクセスポイントのユーアールアイ情報を取得するユーアールアイ情報取得部と、
前記無線通信端末に、前記ユーアールアイ情報取得部により取得されたユーアールアイ情報を取得させるユーアールアイ情報通知部と、
前記無線LANインターフェースにより、当該無線LANアクセスポイントの識別子をブロードキャストする無線LANアクセスポイント識別子通知部と、
前記無線通信端末によりブロードキャストされた無線フレームに含まれる無線通信端末の識別子を取得する無線通信端末識別子取得部と、
前記有線ネットワーク側から、前記無線通信端末により送信された無線LAN設定情報フレームを受信する無線LAN設定情報フレーム受信部と、
該無線LAN設定情報フレーム受信部により受信された無線LAN設定情報フレームに含まれる無線LANアクセスポイントの識別子及び無線端末の識別子に基づいて、無線LAN設定情報の正当性を判断する正当性判断部と、
該正当性判断部により前記無線LAN設定情報フレーム受信部により受信された無線LAN設定情報フレームに含まれる無線LAN設定情報が正当であると判断された場合に、該無線LAN設定情報を設定する無線LAN設定情報設定部と
を有し、
前記無線通信端末は、前記無線LANアクセスポイントのユーアールアイ情報を取得し、前記無線LANアクセスポイントによりブロードキャストされた該無線LANアクセスポイントの識別子を受信し、無線LANインターフェースにより、当該無線通信端末の識別子を付帯した無線フレームをブロードキャストし、前記無線LANアクセスポイントに対する無線LAN設定に関する無線LAN設定情報を作成し、前記無線WANインターフェースにより、前記無線LANアクセスポイントのユーアールアイ情報に基づいて決定される宛先に、前記無線LAN設定情報と、前記無線LANアクセスポイントの識別子と、当該無線端末の識別子とを含む無線LAN設定情報フレームを送信する無線LANアクセスポイント。
【発明の詳細な説明】
【技術分野】
【０００１】
本発明は、無線通信システムに関する。
【背景技術】
【０００２】
近年、IEEE802.11に準拠した無線LANの普及が進んでおり、セルラインターフェースと共に無線LANインターフェースを備えたデュアルモード携帯端末が販売されている（IEEE802.11については、非特許文献1参照）。
【０００３】
IEEE802.11に準拠した無線LANの普及に伴い、自宅に無線LANアクセスポイントを設置するユーザも増加傾向にある。自宅に無線LANアクセスポイントを設置するユーザが増加することによりユーザが自宅で高速な無線LAN通信を実現することができる。
【先行技術文献】
【非特許文献】
【０００４】
【非特許文献１】IEEE, Part 11: Wireless LAN Medium Access Control (MAC) and Physical Layer (PHY) specifications, Reference number ISO/IEC 8802-11:1999(E), IEEE Std 802.11, 1999 edition, 1999
【発明の概要】
【発明が解決しようとする課題】
【０００５】
無線LANアクセスポイントを利用するためには、無線LANアクセスポイント購入後、ユーザ自身が様々な設定を行う必要がある。設定すべき事項には、無線LANアクセスポイントのバックボーンネットワークとなる有線ネットワークへの接続設定、無線LANアクセスポイントと無線LAN端末との間の無線LAN通信を確立する設定が含まれる。該設定には、一般にはPCを無線LANアクセスポイントに接続して、各社の市販ソフトウェアを利用してユーザが各項目を入力することで実現される。しかしながら無線LANの利用に慣れていないユーザにとっては、設定手順が煩雑であり、時間もかかる。
【０００６】
そこで、本発明は上述した問題点に鑑みてなされたものであり、その目的は、無線LANアクセスポイントの設定における利便性を向上できる無線通信制御方法、システム、無線通信端末、及び無線LANアクセスポイントを提供することにある。
【課題を解決するための手段】
【０００７】
本無線通信制御方法は、
無線WANインターフェース及び無線LANインターフェースを有する無線通信端末と、有線ネットワークに接続される無線LANアクセスポイントとの間における無線通信制御方法であって、
前記無線LANアクセスポイントは、
当該無線LANアクセスポイントのユーアールアイ情報を取得するユーアールアイ情報取得ステップと、
前記無線通信端末に、前記ユーアールアイ情報取得ステップにより取得されたユーアールアイ情報を取得させるユーアールアイ情報通知ステップと、
前記無線LANインターフェースにより、当該無線LANアクセスポイントの識別子をブロードキャストする無線LANアクセスポイント識別子通知ステップと、
前記無線通信端末によりブロードキャストされた無線フレームに含まれる無線通信端末の識別子を取得する無線通信端末識別子取得ステップと、
前記有線ネットワーク側から、前記無線通信端末により送信された無線LAN設定情報フレームを受信する無線LAN設定情報フレーム受信ステップと、
該無線LAN設定情報フレーム受信ステップにより受信された無線LAN設定情報フレームに含まれる無線LANアクセスポイントの識別子及び無線端末の識別子に基づいて、無線LAN設定情報の正当性を判断する正当性判断ステップと、
該正当性判断ステップにより前記無線LAN設定情報フレーム受信ステップにより受信された無線LAN設定情報フレームに含まれる無線LAN設定情報が正当であると判断された場合に、該無線LAN設定情報を設定する無線LAN設定情報設定ステップと
を有し、
前記無線通信端末は、
前記無線LANアクセスポイントのユーアールアイ情報を取得するユーアールアイ情報取得ステップと、
前記無線LANアクセスポイントによりブロードキャストされた該無線LANアクセスポイントの識別子を受信する無線LANアクセスポイント識別子受信ステップと、
無線LANインターフェースにより、当該無線通信端末の識別子を付帯した無線フレームをブロードキャストする無線通信端末識別子通知ステップと、
前記無線LANアクセスポイントに対する無線LAN設定に関する無線LAN設定情報を作成する無線LAN設定情報作成ステップと、
前記無線WANインターフェースにより、前記ユーアールアイ情報受信ステップにより受信された前記無線LANアクセスポイントのユーアールアイ情報に基づいて決定される宛先に、前記無線LAN設定情報作成ステップにより作成された無線LAN設定情報と、前記無線LANアクセスポイント識別子受信ステップにより受信された前記無線LANアクセスポイントの識別子と、当該無線端末の識別子とを含む無線LAN設定情報フレームを送信する無線LAN設定情報フレーム送信ステップと
を有する。
【０００８】
本システムは、
無線WANインターフェース及び無線LANインターフェースを有する無線通信端末と、有線ネットワークに接続される無線LANアクセスポイントとを有するシステムであって、
前記無線LANアクセスポイントは、
当該無線LANアクセスポイントのユーアールアイ情報を取得するユーアールアイ情報取得部と、
前記無線通信端末に、前記ユーアールアイ情報取得部により取得されたユーアールアイ情報を取得させるユーアールアイ情報通知部と、
前記無線LANインターフェースにより、当該無線LANアクセスポイントの識別子をブロードキャストする無線LANアクセスポイント識別子通知部と、
前記無線通信端末によりブロードキャストされた無線フレームに含まれる無線通信端末の識別子を取得する無線通信端末識別子取得部と、
前記有線ネットワーク側から、前記無線通信端末により送信された無線LAN設定情報フレームを受信する無線LAN設定情報フレーム受信部と、
該無線LAN設定情報フレーム受信部により受信された無線LAN設定情報フレームに含まれる無線LANアクセスポイントの識別子及び無線端末の識別子に基づいて、無線LAN設定情報の正当性を判断する正当性判断部と、
該正当性判断部により前記無線LAN設定情報フレーム受信部により受信された無線LAN設定情報フレームに含まれる無線LAN設定情報が正当であると判断された場合に、該無線LAN設定情報を設定する無線LAN設定情報設定部と
を有し、
前記無線通信端末は、
前記無線LANアクセスポイントのユーアールアイ情報を取得するユーアールアイ情報取得部と、
前記無線LANアクセスポイントによりブロードキャストされた該無線LANアクセスポイントの識別子を受信する無線LANアクセスポイント識別子受信部と、
無線LANインターフェースにより、当該無線通信端末の識別子を付帯した無線フレームをブロードキャストする無線通信端末識別子通知部と、
前記無線LANアクセスポイントに対する無線LAN設定に関する無線LAN設定情報を作成する無線LAN設定情報作成部と、
前記無線WANインターフェースにより、前記ユーアールアイ情報受信部により受信された前記無線LANアクセスポイントのユーアールアイ情報に基づいて決定される宛先に、前記無線LAN設定情報作成部により作成された無線LAN設定情報と、前記無線LANアクセスポイント識別子受信部により受信された前記無線LANアクセスポイントの識別子と、当該無線端末の識別子とを含む無線LAN設定情報フレームを送信する無線LAN設定情報フレーム送信部と
を有する。
【０００９】
本無線通信端末は、
無線WANインターフェース及び無線LANインターフェースを有し、有線ネットワークに接続される無線LANアクセスポイントとの間で無線通信設定を行う無線通信端末であって、
前記無線LANアクセスポイントは、当該無線LANアクセスポイントのユーアールアイ情報を取得し、前記無線通信端末に、該ユーアールアイ情報を取得させ、前記無線LANインターフェースにより、当該無線LANアクセスポイントの識別子をブロードキャストし、前記無線通信端末によりブロードキャストされた無線フレームに含まれる無線通信端末の識別子を取得し、前記有線ネットワーク側から、前記無線通信端末により送信された無線LAN設定情報フレームを受信し、該無線LAN設定情報フレームに含まれる無線LAN設定情報の正当性を判断し、該無線LAN設定情報フレームに含まれる無線LAN設定情報が正当であると判断された場合に、該無線LAN設定情報を設定し、
前記無線通信端末は、
前記無線LANアクセスポイントのユーアールアイ情報を取得するユーアールアイ情報取得部と、
前記無線LANアクセスポイントによりブロードキャストされた該無線LANアクセスポイントの識別子を受信する無線LANアクセスポイント識別子受信部と、
無線LANインターフェースにより、当該無線通信端末の識別子を付帯した無線フレームをブロードキャストする無線通信端末識別子通知部と、
前記無線LANアクセスポイントに対する無線LAN設定に関する無線LAN設定情報を作成する無線LAN設定情報作成部と、
前記無線WANインターフェースにより、前記ユーアールアイ情報受信部により受信された前記無線LANアクセスポイントのユーアールアイ情報に基づいて決定される宛先に、前記無線LAN設定情報作成部により作成された無線LAN設定情報と、前記無線LANアクセスポイント識別子受信部により受信された前記無線LANアクセスポイントの識別子と、当該無線端末の識別子とを含む無線LAN設定情報フレームを送信する無線LAN設定情報フレーム送信部と
を有する。
【００１０】
本無線LANアクセスポイントは、
有線ネットワークに接続され、無線WANインターフェース及び無線LANインターフェースを有する無線通信端末との間で、無線通信設定を行う無線LANアクセスポイントであって、
当該無線LANアクセスポイントのユーアールアイ情報を取得するユーアールアイ情報取得部と、
前記無線通信端末に、前記ユーアールアイ情報取得部により取得されたユーアールアイ情報を取得させるユーアールアイ情報通知部と、
前記無線LANインターフェースにより、当該無線LANアクセスポイントの識別子をブロードキャストする無線LANアクセスポイント識別子通知部と、
前記有線ネットワーク側から、前記無線通信端末により送信された無線LAN設定情報フレームを受信する無線LAN設定情報フレーム受信部と、
該無線LAN設定情報フレーム受信部により受信された無線LAN設定情報フレームに含まれる無線LANアクセスポイントの識別子及び無線端末の識別子に基づいて、無線LAN設定情報の正当性を判断する正当性判断部と、
該正当性判断部により前記無線LAN設定情報フレーム受信部により受信された無線LAN設定情報フレームに含まれる無線LAN設定情報が正当であると判断された場合に、該無線LAN設定情報を設定する無線LAN設定情報設定部と
を有し、
前記無線通信端末は、前記無線LANアクセスポイントのユーアールアイ情報を取得し、前記無線LANアクセスポイントによりブロードキャストされた該無線LANアクセスポイントの識別子を受信し、無線LANインターフェースにより、当該無線通信端末の識別子を付帯した無線フレームをブロードキャストし、前記無線LANアクセスポイントに対する無線LAN設定に関する無線LAN設定情報を作成し、前記無線WANインターフェースにより、前記無線LANアクセスポイントのユーアールアイ情報に基づいて決定される宛先に、前記無線LAN設定情報と、前記無線LANアクセスポイントの識別子と、当該無線端末の識別子とを含む無線LAN設定情報フレームを送信する。
【発明の効果】
【００１１】
開示の無線通信制御方法、システム、無線通信端末、及び無線LANアクセスポイント
によれば、無線LANアクセスポイントの設定における利便性を向上できる。
【図面の簡単な説明】
【００１２】
【図１】本実施形態に従った無線LANアクセスポイントのハードウェア構成の一例を示すブロック図である。
【図２】本実施形態に従った無線LANアクセスポイントを示す機能ブロック図である。
【図３】本実施形態に従った無線通信端末のハードウェア構成の一例を示すブロック図である。
【図４】本実施形態に従った無線通信端末を示す機能ブロック図である。
【図５】本実施形態に従った無線LANアクセスポイントと無線通信端末とが適用されるネットワーク構成の一例を示す説明図である。
【図６】本実施形態に従った無線通信システムの動作を示すシーケンス図である。
【図７】本実施形態に従ったネームサーバが有するテーブルの一例を示す説明図である。
【図８】本実施形態に従った無線LANアクセスポイントと無線通信端末とが適用されるネットワーク構成の一例を示す説明図である。
【図９】本実施形態に従った無線通信システムの動作を示すシーケンス図である。
【発明を実施するための形態】
【００１３】
次に、本発明を実施するための形態を、以下の実施形態に基づき図面を参照しつつ説明する。
なお、実施形態を説明するための全図において、同一機能を有するものは同一符号を用い、繰り返しの説明は省略する。
【００１４】
＜第１の実施形態＞
＜無線通信システム＞
本実施形態に従った無線通信システムは、無線LANアクセスポイントと、無線通信端末とを有する。また、必要に応じて、ルータ、ネームサーバが含まれるようにしてもよい。無線通信端末は、無線WANインターフェースと無線LANインターフェースとを有するデュアルモード携帯端末である。無線通信端末５０６は、無線LANにおいては、無線LAN端末(STA:  Station)として機能する。
【００１５】
＜無線LANアクセスポイント＞
図１は、本無線LANアクセスポイントのハードウェア構成の一例を示す。
【００１６】
本無線LANアクセスポイントは、情報処理を行うCPU１０１と、記憶装置であるROM１０２及びRAM１０３と、キーボタンなどを有する操作部１０４と、無線通信部１０５と、ディスプレイ１０６と、有線通信部１０７とを有する。無線通信部１０５は、無線通信端末との間で無線通信を行う。有線通信部１０７は、当該無線LANアクセスポイントと該無線LANアクセスポイントのバックボーンネットワークとなる有線ネットワークとを接続する。CPU１０１は、ROM１０２、RAM１０３、操作部１０４、無線通信部１０５、及びディスプレイ１０６と接続される。
【００１７】
図２は、本無線LANアクセスポイントの機能ブロック図を示す。
【００１８】
本無線LANアクセスポイントは、無線LANフレーム受信部２０１と、受信RSSI(Received  Signal  Strength  Indicator)解析部２０２と、無線LAN端末(STA:  Station)識別子解析部２０３と、時刻制御部２０４と、無線LANアクセスポイント(AP:  Access  Point)識別子管理部２０５と、AP識別子通知フレーム作成部２０６と、送信電力制御部２０７と、無線LANフレーム送信部２０８と、無線LAN設定情報フレーム作成部２０９と、STAのセルラ通信用識別子管理部２１０と、受信情報正当性確認部２１１と、無線LANパラメータ設定部２１２と、有線通信用フレーム受信部２１３と、グローバルアドレス解析部２１４と、ユーアールアイ(URI:  Uniform  Resource  Identifier)情報通知部２１５と、URI管理部２１６と、通信ポート設定部２１７と、ユーアールエル(URL:  Uniform  Resource  Locator)管理部２１８と、URL登録要求フレーム作成部２１９と、有線通信用フレーム送信部２２０とを有する。
【００１９】
無線LANフレーム受信部２０１は、無線通信端末により送信された無線LANフレームを受信する。該無線LANフレームには、プローブ要求フレームが含まれる。該プローブ要求フレームは、無線通信端末により送信され、該無線通信端末の識別子（以下、STA識別子と呼ぶ）が含まれる。そして、無線LANフレーム受信部２１０は、受信した無線LANフレームを受信RSSI解析部２０２に入力する。例えば、無線通信部１０５は、無線LANインターフェースを含み、無線LANフレーム受信部２０１の機能を有する。
【００２０】
受信RSSI解析部２０２は、無線LANフレーム受信部２０１と接続され、無線LANフレーム受信部２０１により入力されたプローブ要求フレームに基づいて、該プローブ要求フレームの信号の強度を測定する。そして、受信RSSI解析部２０２は、信号の強度に基づいて、無線LANフレーム受信部２０１により入力されたプローブ要求フレームが有効であるかを判断し、有効であると判断されたプローブ要求フレーム（以下、有効プローブ要求フレームと呼ぶ）をSTA識別子解析部２０３に入力する。例えば、受信RSSI解析部２０２は、所定の受信強度以上のプローブ要求フレームを有効であると判断する。例えば、無線通信部１０５は、受信RSSI解析部２０２の機能を有する。
【００２１】
STA識別子解析部２０３は、受信RSSI解析部２０２と接続され、受信RSSI解析部２０２により入力された有効プローブ要求フレームに含まれるSTA識別子を取得する。また、STA識別子解析部２０３は、時刻制御部２０４から有効プローブ要求フレームを受信した時刻情報を取得する。そして、STA識別子解析部２０３は、取得したSTA識別子及び時刻情報を受信情報正当性確認部２１１に入力する。例えば、CPU１０１は、STA識別子解析部２０３の機能を有する。
【００２２】
時刻制御部２０４は、STA識別子解析部２０３及び受信情報正当性確認部２１１に接続され、STA識別子解析部２０３及び受信情報正当性確認部２１１に時刻情報を入力する。時刻制御部２０４は、STA識別子解析部２０３及び受信情報正当性確認部２１１による要求に従って、時刻情報を入力するようにしてもよい。例えば、CPU１０１は、時刻制御部２０４の機能を有する。
【００２３】
AP識別子管理部２０５は、受信情報正当性確認部２１１と接続される。AP識別子管理部２０５は、当該無線LANアクセスポイントの識別子（以下、AP識別子と呼ぶ）を記憶する。AP識別子管理部２０５は、受信情報正当性確認部２１１及びAP識別子通知フレーム作成部２０６にAP識別子を入力する。AP識別子管理部２０５は、受信情報正当性確認部２１１及びAP識別子フレーム作成部２０６による要求に従って、AP識別子を入力するようにしてもよい。例えば、ROM１０２は、AP識別子管理部２０５の機能を有する。
【００２４】
AP識別子通知フレーム作成部２０６は、AP識別子管理部２０５と接続される。AP識別子通知フレーム作成部２０６は、AP識別子管理部２０５からAP識別子を取得し、該AP識別子を無線通信端末２００に通知するためのフレーム（以下、AP識別子通知フレームと呼ぶ）を作成する。そして、AP識別子通知フレーム作成部２０６は、AP識別子通知フレームを無線LANフレーム送信部２０８に入力する。例えば、CPU１０１は、AP識別子通知フレーム作成部２０６の機能のうち、AP識別子通知フレームを作成する機能を有する。また、例えば、RAM１０３は、AP識別子通知フレーム作成部２０６の機能のうち、AP識別子通知フレームを一時的に保持し、無線LANフレーム送信部２０８に入力する機能を有する。
【００２５】
無線LANフレーム送信部２０８は、AP識別子通知フレーム作成部２０６と接続される。無線LANフレーム送信部２０８には、AP識別子通知フレーム２０６によりAP識別子通知フレームが入力され、URI管理部２１６によりURI及びグローバルアドレスが入力され、送信電力制御部２０７により送信電力制御指令が入力される。URI管理部２１６によりポート番号が入力されるようにしてもよい。無線LANフレーム送信部２０８は、AP識別子通知フレームを送信する。また、無線LANフレーム送信部２０８は、URI管理部２１６により入力されたURL及び／又はグローバルアドレスを含む無線フレームを送信する。該無線フレームにポート番号が含まれてもよい。該送信の際、無線LANフレーム送信部２０８は、送信電力制御指令に従って送信電力制御を行い、該無線LANフレームを無線送信する。例えば、無線通信部１０５は、無線LANインターフェースを含み、無線LANフレーム送信部２０８の機能を有する。
【００２６】
送信電力制御部２０７は、無線LANフレーム送信部２０８と接続され、当該無線LANアクセスポイントにより送信される無線LANフレームの送信電力を設定する。送信電力制御部２０７は、無線LANフレームに対して設定すべき送信電力を送信電力制御指令として、無線LANフレーム送信部２０８に入力する。例えば、無線通信部１０５は、送信電力制御部２０７の機能を有する。
【００２７】
有線通信用フレーム受信部２１３は、有線ネットワークからのフレームを受信する。例えば、該フレームには、無線通信端末から送信され、無線LAN設定情報を含むフレーム（以下、無線LAN設定情報フレームと呼ぶ）が含まれる。無線LAN設定情報フレームには、無線通信端末により取得されたAP識別子と、STA識別子とが含まれる。有線通信用フレーム受信部２１３は、受信したフレームから無線LAN設定情報フレームを取得し、該無線LAN設定情報フレームを無線LAN設定情報フレーム解析部２０９に入力する。また、有線通信用フレーム受信部２１３は、受信したフレームからグローバルアドレス応答を含むフレーム（以下、グローバルアドレス応答フレームと呼ぶ）を取得し、該グローバルアドレス応答フレームをグローバルアドレス解析部２１４に入力する。例えば、有線通信部１０７は、
無線WANインターフェースを含み、有線通信用フレーム受信部２１３の機能を有する。
【００２８】
無線LAN設定情報フレーム解析部２０９は、有線通信用フレーム受信部２１３と接続される。無線LAN設定情報フレーム解析部２０９は、有線通信用フレーム受信部２１３により入力された無線LAN設定情報フレームを解析し、STA識別子及びAP識別子、無線LAN設定情報を取得し、該STA識別子及びAP識別子、無線LAN設定情報を受信情報正当性確認部２１１に入力する。例えば、CPU１０１は、無線LAN設定情報フレーム解析部２０９の機能を有する。
【００２９】
STAのセルラ通信用識別子管理部２１０は、当該無線LANアクセスポイントと無線接続すべき無線通信装置２００のセルラ通信に使用する識別子（以下、セルラ用識別子と呼ぶ）が格納される。STAのセルラ通信用識別子管理部２１０は、受信情報正当性確認部２１１に、セルラ用識別子を入力する。例えば、ROM１０２は、STAのセルラ通信用識別子管理部２１０の機能を有する。
【００３０】
受信情報正当性確認部２１１には、無線LAN設定情報フレーム解析部２０９及びSTAのセルラ通信用識別子管理部２１０と接続され、STA識別子解析部２０３によりSTA識別子及び時刻情報が入力され、時刻制御部２０４から時刻情報が入力され、AP識別子管理部２０５からAP識別子が入力され、無線LAN設定情報フレーム解析部２０９からSTA識別子及びAP識別子、無線LAN設定情報が入力され、STAのセルラ通信用識別子管理部２１０からセルラ用識別子が入力される。受信情報正当性確認部２１１は、入力された情報の正当性を確認する。例えば、受信情報正当性確認部２１１は、無線LAN設定情報フレーム解析部２０９により入力されたAP識別子が当該無線LANアクセスポイントの識別子と一致するかを確認する。例えば、受信情報正当性確認部２１１は、STA識別子解析部２０３により入力されたSTA識別子と無線LAN設定情報フレーム解析部２０９により入力されたSTA識別子とが一致するかを確認する。受信情報正当性確認部２１１は、無線LAN設定情報フレーム解析部２０９により入力されたAP識別子が当該無線LANアクセスポイントのAP識別子と一致しない場合には、無線LAN設定情報が当該無線LANアクセスポイント宛に送信されたものではないと判断する。当該無線LANアクセスポイント宛に送信されたものではないと判断した場合、受信情報正当性確認部２１１は、無線LAN設定情報フレーム解析部２０９により入力されたSTA識別子及びAP識別子、無線LAN設定情報を有線通信用フレーム送信部２２０に入力する。
【００３１】
また、受信情報正当性確認部２１１は、無線LAN設定情報フレーム解析部２０９により入力されたAP識別子が当該無線LANアクセスポイントのAP識別子と一致する場合には、無線LAN設定情報が当該無線LANアクセスポイント宛に送信されたものであると判断する。また、受信情報正当性確認部２１１は、STA識別子解析部２０３により入力されたSTA識別子と無線LAN設定情報フレーム解析部２０９により入力されたSTA識別子とが一致するかを確認する。受信情報正当性確認部２１１は、一致する場合には、正当であると判断する。また、受信情報正当性確認部２１１は、STA識別子解析部２０３によりSTA識別子が入力されてから所定期間内に、無線LAN設定情報フレーム解析部２０９により無線LAN設定情報が入力されたことを確認してもよい。受信情報正当性確認部２１１は、所定期間内である場合に正当であると判断する。受信情報正当性確認部２１１は正当であると判断した場合には、無線LANパラメータ設定部２１２に、無線LAN設定情報及び設定指令を入力する。受信情報正当性確認部２１１は、正当であると判断しない場合には、無線LAN設定情報フレームを破棄するようにしてもよい。CPU１０１は、受信情報正当性確認部２１１の機能のうち、入力された情報の正当性を確認する機能を有する。ROM１０２は、受信情報正当性確認部２１１の機能のうち、正当性を確認するための情報を記憶する機能を有する。RAM１０２は、受信情報正当性確認部２１１の機能のうち、入力された情報を一時的に記憶する。
【００３２】
無線LANパラメータ設定部２１２は、受信情報正当性確認部２１１と接続される。無線LANパラメータ設定部２１２は、受信情報正当性確認部２１１により入力された無線LAN設定情報及び設定指令に従って、無線LANパラメータを設定する。例えば、CPU１０１は、無線LANパラメータ設定部２１２の機能を有する。
【００３３】
グローバルアドレス解析部２１４は、有線通信用フレーム受信部２１３と接続される。グローバルアドレス解析部２１４は、有線通信用フレーム受信部２１３により入力されたグローバルアドレス応答フレームからグローバルアドレスを取得し、該グローバルアドレスをURI管理部２１６に入力する。例えば、CPU１０１は、グローバルアドレス解析部２１４の機能を有する。
【００３４】
通信ポート設定部２１７は、URI管理部２１６と接続され、当該無線LANアクセスポイントとの間で通信可能な通信ポート番号を設定する。そして、通信ポート設定部２１７は、設定したポート番号をURI管理部２１６に入力する。例えば、ROM１０２は、通信ポート設定部２１７の機能を有する。
【００３５】
URI管理部２１６は、グローバルアドレス解析部２１４及び無線LANフレーム送信部２０８と接続される。URI管理部２１６には、グローバルアドレス解析部２１４によりグローバルアドレスが入力される。URI管理部２１６は、通信ポート設定部２１７から通信ポート番号を取得し、URL管理部２１８からURLを取得する。URI管理部２１６は、URI情報通知部２１５による要求に従って、URL管理部２１８から取得したURLを含むURIをURI情報通知部２１５に入力する。また、URI管理部２１６は、無線LANフレーム送信部２０８による要求に従って、URL管理部２１８により入力されたURL及びグローバルアドレス解析部２１４により入力されたグローバルアドレスを無線LANフレーム送信部２０８に入力する。また、URI管理部２１６は、無線LANフレーム送信部２０８による要求に従って、ポート番号を入力するようにしてもよい。例えば、ROM１０２は、URI管理部２１６の機能を有する。
【００３６】
URI情報通知部２１５は、URI管理部２１６と接続され、該URI管理部２１６により入力されたURIを出力する。例えば、URI情報通知部２１５は、外部の装置に該URI情報を含む信号を送信するようにしてもよい。また、URI情報通知部２１５は、該URI情報を表示するようにしてもよい。ディスプレイ１０６は、URI情報通知部２１５の機能を有する。
【００３７】
URL管理部２１８は、URI管理部２１６と接続される。URL管理部２１８は、当該無線LANアクセスポイントのURLを記憶する。URL管理部２１８は、URI管理部２１６にURLを入力する。また、URL管理部２１８は、URL登録要求フレーム作成部２１９に、URLを入力する。例えば、URL管理部２１８は、URL登録要求フレーム作成部２１９による要求に従って、URLを入力する。例えば、ROM１０２は、URL管理部２１８の機能を有する。
【００３８】
URL登録要求フレーム作成部２１９は、URL管理部２１８と接続される。URL登録要求フレーム作成部２１９は、URL管理部２１８からURLを取得し、該URLの登録を要求するためのフレーム（以下、URL登録要求フレームと呼ぶ）を作成する。URL登録要求フレーム作成部２１９は、有線通信用フレーム送信部２２０に、URL登録要求フレームを入力する。例えば、CPU１０１は、URL登録要求フレーム作成部２１９の機能を有する。
【００３９】
有線通信用フレーム送信部２２０は、URL登録要求フレーム作成部２１９及び受信情報正当性確認部２１１と接続される。有線通信用フレーム送信部２２０は、有線ネットワークに、URL登録要求フレーム作成部２１９により入力されたURL登録要求フレームを送信する。また。有線通信用フレーム送信部２２０は、有線ネットワークに、受信情報正当性確認部２１１により入力された無線LAN設定情報フレームをブロードキャストする。例えば、有線通信部１０７は、無線WANインターフェースを含み、有線通信用フレーム送信部２２０の機能を有する。
【００４０】
＜無線通信端末＞
図３は、本無線通信端末のハードウェア構成の一例を示す。
【００４１】
本無線通信端末は、情報処理を行うCPU３０１と、記憶装置であるROM３０２及びRAM３０３と、キーボタンなどを有する操作部３０４と、無線通信部３０５と、ディスプレイ３０６と、カメラ３０７とを有する。無線通信部３０５は、無線LANアクセスポイントとの間で無線通信を行う。CPU３０１は、ROM３０２、RAM３０３、操作部３０４、無線通信部３０５、ディスプレイ３０６、及びカメラ３０７と接続される。
【００４２】
図４は、本無線通信端末の機能ブロック図を示す。
【００４３】
本無線通信端末は、無線LANフレーム受信部４０１と、ビーコン解析部４０２と、STA識別子管理部４０３と、STA識別子通知フレーム作成部４０４と、無線LANフレーム送信部４０５と、URI情報受信部４０６と、接続先APのURI管理部４０７と、無線LAN設定情報作成部４０８と、無線LAN設定情報フレーム作成部４０９と、セルラ通信用識別子管理部４１０と、セルラ受信部４１１と、接続先APのグローバルアドレス問い合わせフレーム作成部４１２と、セルラ送信部４１３とを有する。無線LANフレーム受信部４０１及び無線LANフレーム送信部４０５は無線LANインターフェースにより構成され、セルラ受信部４１１及びセルラ送信部４１３は無線WAN(Wide  Area  Network)インターフェースにより構成される。WANは、電話回線やインターネット等により接続される広域通信網を示す。
【００４４】
無線LANフレーム受信部４０１は、無線LANアクセスポイントにより送信された無線LANフレームを受信する。該無線LANフレームには、無線LANアクセスポイントにより送信されたビーコンフレームが含まれる。該ビーコンフレームには、無線LANアクセスポイントのAP識別子が含まれる。また、無線LANフレーム受信部４０１は、無線LANアクセスポイントにより送信された該無線LANアクセスポイントのURL及び／又は該無線LANアクセスポイントが所属するネットワークのグローバルアドレスを受信するようにしてもよい。無線LANフレーム受信撫４０１は、該ビーコンフレームをビーコン解析部４０２に入力する。また、無線LANフレーム受信部４０１は、無線LANアクセスポイントのURL及び／又はグローバルアドレスをビーコン解析部４０２に入力する。例えば、無線通信部３０５は、無線LANフレーム受信部４０１の機能を有する。
【００４５】
ビーコン解析部４０２は、無線LANフレーム受信部４０１と接続される。ビーコン解析部４０２は、無線LANフレーム受信部４０１により入力されたビーコンフレームを解析し、該ビーコンフレームに含まれるAP識別子を取得する。そして、ビーコン解析部４０２は、AP識別子を無線LAN設定情報フレーム作成部４０９に入力する。また、ビーコン解析部４０２は、無線LANフレーム受信部４０１により入力された無線LANアクセスポイントのURI及び／又はグローバルアドレスを接続先APのURI管理部４０７に入力する。例えば、CPU３０１は、ビーコン解析部４０２の機能を有する。
【００４６】
STA識別子管理部４０３は、当該無線通信端末のSTA識別子を記憶する。STA識別子管理部４０３は、無線LAN設定情報フレーム作成部４０９及びSTA識別子通知フレーム作成部４０４に、STA識別子を入力する。STA識別子管理部４０３は、無線LAN設定情報フレーム作成部４０９及びSTA識別子通知フレーム作成部４０４による要求により、STA識別子を入力する。例えば、ROM３０２は、STA識別子管理部４０３の機能を有する。
【００４７】
STA識別子通知フレーム作成部４０４は、STA識別子管理部４０３と接続される。STA識別子通知フレーム作成部４０４は、STA識別子管理部４０３からSTA識別子を取得し、該STA識別子を無線LANアクセスポイントに通知するためのプローブ要求フレームを作成する。そして、STA識別子通知フレーム作成部４０４は、無線LANフレーム送信部４０５に、プローブ要求フレームを入力する。例えば、CPU３０１は、STA識別子通知フレーム作成部４０４のうち、プローブ要求フレームを作成する機能を有する。RAM３０３は、STA識別子通知フレーム作成部４０４のうち、プローブ要求フレームを一時的に記憶保持する機能を有する。
【００４８】
無線LANフレーム送信部４０５は、STA識別子通知フレーム作成部４０４と接続され、外部に無線LANフレームを送信する。無線LANフレーム送信部４０５は、STA識別子通知フレーム作成部４０４により入力されたプローブ要求フレームを無線送信する。例えば、無線通信部３０５は、無線LANフレーム送信部４０５の機能を有する。
【００４９】
URI情報受信部４０６は、外部から無線LANアクセスポイントのURI情報を取得する。そして、URI情報受信部４０６は、接続先APのURI管理部４０７に、無線LANアクセスポイントのURI情報を入力する。例えば、カメラ３０７は、URI情報受信部４０６の機能を有するようにしてもよい。
【００５０】
接続先APのURI管理部４０７は、URI情報受信部４０６及びビーコン解析部４０２と接続される。接続先APのURI管理部４０７には、URI情報受信部４０６及び／又はビーコン解析部４０２により無線LANアクセスポイントのURIが入力される。また、接続先APのURI管理部４０７には、ビーコン解析部４０２により無線LANアクセスポイントのグローバルアドレスが入力される。また、接続先APのURI管理部４０７には、セルラ受信部４１１により無線LANアクセスポイントのグローバルアドレス応答フレームが入力される。そして、接続先APのURI管理部４０７は、無線LAN設定情報フレーム作成部４０９に、APのURIを入力する。また、接続先APのURI管理部４０７は、接続先APのグローバルアドレス問い合わせフレーム作成部４１２に、無線LANアクセスポイントのURLを入力する。例えば、ROM３０２は、接続先APのURI管理部４０７の機能を有する。
【００５１】
無線LAN設定情報作成部４０８は、無線LAN設定情報を作成する。無線LAN設定情報には、エスエスアイディー(SSID:  Service  Set  ID)、暗号化通信用鍵、周波数チャネル、ビーコン周期、送信待ち時間を設定するためのランダムバックオフパラメータなどが含まれる。該ランダムバックオフパラメータには、コンテンション・ウィンドウの最大値を示すCWmax、コンテンション・ウィンドウの最小値を示すCWminが含まれてもよい。コンテンション・ウィンドウはIEEE802.11で行うフレーム衝突回避機構で使用されるパラメータである。暗号化通信用鍵は乱数を用いて算出されてもよい。暗号化通信用鍵が乱数を用いて算出されることにより、セキュリティを向上されることができる。無線LAN設定情報作成部４０８は、無線LAN設定情報フレーム作成部４０９に、無線LAN設定情報を入力する。CPU３０１は、無線LAN設定情報作成部４０８の機能を有する。
【００５２】
無線LAN設定情報フレーム作成部４０９は、ビーコン解析部４０２と、接続先APのURI管理部４０７と、無線LAN設定情報作成部４０８と、STA識別子管理部４０３と、セルラ通信用識別子管理部４１０と接続される。無線LAN設定情報フレーム作成部４０９には、ビーコン解析部４０２によりAP識別子が入力され、無線LAN設定情報作成部４０８により無線LAN設定情報が入力され、接続先APのURI管理部４０７により無線LANアクセスポイントのURIが入力され、STA識別子管理部４０３によりSTA識別子が入力され、セルラ通信用識別子管理部４１０によりセルラ用識別子が入力される。無線LAN設定情報フレーム作成部４０９は、入力された情報に基づいて、無線LAN設定情報フレームを作成し、該無線LAN設定情報フレームをセルラ送信部４１３に入力する。
【００５３】
例えば、無線LAN設定情報フレーム作成部４０９は、無線LAN設定情報と、無線LANアクセスポイントのURIと、AP識別子と、STA識別子とを含む無線LAN設定情報フレームを作成する。ポート番号を含む無線LAN設定情報フレームを作成してもよい。CPU３０１は、無線LAN設定情報フレーム作成部４０９の機能のうち、無線LAN設定情報フレームを作成する機能を有する。RAM３０３は、無線LAN設定情報フレーム作成部４０９の機能のうち、無線LAN設定情報フレームを一時的に保持し、セルラ送信部４１３に入力する機能を有する。
【００５４】
セルラ通信用識別子管理部４１０は、当該無線通信端末がセルラ通信を行う際に使用するセルラ通信用識別子を記憶保持する。そして、セルラ通信用識別子管理部４１０は、無線LAN設定情報フレーム作成部４０９に、セルラ通信用識別子を入力する。ROM３０２は、セルラ通信用識別子管理部４１０の機能を有する。
【００５５】
セルラ受信部４１１は、接続先APのURI管理部４０７と接続される。セルラ受信部４１１は、外部からセルラ通信フレームを受信する。セルラ受信部４１１は、接続先APのURI管理部４０７に、該セルラ通信フレームに含まれる無線LANアクセスポイントのグローバルアドレス応答フレームを入力する。例えば、無線通信部３０５は、セルラ受信部４１１の機能を有する。
【００５６】
接続先APのグローバルアドレス問い合わせフレーム作成部４１２は、接続先APのURI管理部４０７と接続される。接続先APのグローバルアドレス問い合わせフレーム作成部４１２は、接続先APのURI管理部４０７からURLを取得し、該URLを含むAPのグローバルアドレスを問い合わせるための無線フレーム（以下、APのグローバルアドレス問い合わせフレームと呼ぶ）を作成する。接続先APのグローバルアドレス問い合わせフレーム作成部４１２は、セルラ送信部４１３に、APのグローバルアドレス問い合わせフレームを入力する。CPU３０１は、接続先APのグローバルアドレス問い合わせフレーム作成部４１２の機能を有する。
【００５７】
セルラ送信部４１３は、無線LAN設定情報フレーム作成部４０９、及び接続先APのグローバルアドレス問い合わせフレーム作成部４１２と接続される。セルラ送信部４１３は、接続先APのグローバルアドレス問い合わせフレーム作成部４１２により入力されたAPのグローバルアドレス問い合わせフレームを無線送信する。また、セルラ送信部４１３は、無線LAN設定情報フレーム作成部４０９により入力された無線LAN設定情報フレーム作成部４０９により入力された無線LAN設定情報フレームを無線送信する。無線通信部３０５は、セルラ送信部４１３の機能を有する。
【００５８】
＜本無線通信システムの動作＞
本無線通信システムの動作について説明する。
【００５９】
図５は、本無線LANアクセスポイントと本無線通信端末とが適用されるネットワークの一例を示す。
【００６０】
図５には、無線LANアクセスポイント(AP1)５０２と、無線LANアクセスポイント（AP2）５０４と、無線通信端末５０６と、ルータ５０８と、ネームサーバ５１２とが描かれている。無線LANアクセスポイント５０２及び５０４は、ルータ５０８と有線接続される。ルータ５０８は、通信網５１０と接続される。該通信網５１０には、インタネットが含まれる。無線通信端末５０６は、基地局（図示なし）と無線接続され、該基地局は通信網５１４と接続される。該通信網５１４には、セルラ通信網が含まれる。ネームサーバ５１２は、通信網５１０及び５１４と接続される。
【００６１】
ルータ５０８は、ユーピーエヌピー(UPnP:  Universal  Plug  and  Play)を実装する。ユーピーエヌピーにより、ネットワークに接続されたルータ５０８は、複雑な操作や設定作業を伴うことなく機能する。
【００６２】
本実施形態では、無線LANアクセスポイント５０２及び５０４には、出荷前に予めURI情報としてのユーアールエル(URL:  Uniform Resource Locator)が埋め込まれる。換言すれば、無線LANアクセスポイント５０２及び５０４には、予めURLが格納される。無線LANアクセスポイント５０２には、出荷前に予め設定されたURL情報が記録された２次元コード(2D  code)が描かれたシールが貼り付けられる。該２次元コードには、２次元バーコード、キューアールコード(QR  code:  Quick  Response  code)などが含まれる。また、無線LANアクセスポイント５０２及び５０４にアクセス可能な通信ポートについても一意に設定されている。
【００６３】
図６は、本無線通信システムの動作を示す。
【００６４】
以下、無線通信端末５０６が、無線LANアクセスポイント５０２に対して、無線LANに関する設定を行う方法について説明する。
【００６５】
ユーザは、無線LANアクセスポイント５０２を購入後、自宅のルータに接続する（ステップＳ６０２）。例えば、有線通信用フレーム受信部２１３及び有線通信用フレーム送信部２２０と、有線ネットワークとが接続される。
【００６６】
無線LANアクセスポイント５０２は、ルータ５０８から、ディーエイチシーピー(DHCP:  Dynamic  Host  Configuration  Protocol）で、ローカルアドレスが割り当てられる（ステップＳ６０４）。無線LANアクセスポイント５０２は、ルータ５０８配下のローカルネットワークに接続される。例えば、有線通信用フレーム送信部２２０は、DHCPによりルータ５０８にアクセスすることにより、該ルータ５０８からローカルアドレスが割り当てられる。
【００６７】
無線LANアクセスポイント５０２は、ルータ５０８を経由して、当該無線LANアクセスポイント５０２に設定されているURLをネームサーバ５１２に登録するための要求を行う（ステップＳ６０６）。該ネームサーバ５１２には、ディーディーエヌエス(Dynamic Domain Name System)サーバが含まれる。DDNSは、DNSデータベースを動的に更新する技術である。DDNSは、IETFによってRFC2136として規格化されている。例えば、URL登録要求フレーム作成部２１９は、URL管理部２１８に記憶された当該無線LANアクセスポイント５０２のURLを取得する。そして、URL登録要求フレーム作成部２１９は、該URLを含むURL登録要求フレームを作成し、有線通信用フレーム送信部２２０を介して送信する。該URL登録要求フレームは、ルータ５０８を経由して、ネームサーバ５１２に受信される。ネームサーバ５１２は、無線LANアクセスポイント５０２により送信されたURL登録要求フレームに含まれるURLの登録を行う。ネームサーバ５１２は、該URLと無線LANアクセスポイント５０２の属する無線LANに割り当てられたグローバルアドレスとが対応付けられたテーブルを作成する。
【００６８】
図７は、ネームサーバ５１２により作成されるテーブルの一例を示す。
【００６９】
例えば、無線LANアクセスポイント５０２のURLを"http://apkantan/settei1"とし、ルータ５０８が有するグローバルアドレスを"192.10.1.1"とする。ネームサーバ５１２は、図７に示されるようなテーブルを作成する。ネームサーバ５１２により該テーブルが作成されることにより、無線LANアクセスポイント５０２は、有線ネットワークに接続される。
【００７０】
ユーザは、無線通信端末５０６のカメラを起動させる（ステップＳ６０８）。例えば、ユーザにより、URI情報受信部４０６が起動される。
【００７１】
無線通信端末５０６は、無線LANアクセスポイント５０２に貼り付けられた二次元コードを読み取る（ステップＳ６１０）。無線LANアクセスポイント５０２に貼り付けられた二次元コードを読み取ることにより、無線通信端末５０６は無線LANアクセスポイント５０２のURLを取得することができる。例えば、URI情報受信部４０６は、無線LANアクセスポイント５０２に貼り付けられた二次元コードを読み取る。そして、URI情報受信部４０６は、該二次元コードを読み取ることにより取得した無線LANアクセスポイント５０２のURIを接続先APのURI管理部４０７に入力する。
【００７２】
無線通信端末５０６は、無線LANアクセスポイント５０２に設定すべき無線LAN設定情報を作成する（ステップＳ６１２）。例えば、無線通信端末５０６は、無線LANアクセスポイント５０２のURLを取得したことをトリガーとして、無線LAN設定情報を作成する。無線LAN設定情報には、SSID、暗号化通信用鍵、周波数チャネル、ビーコン周期、送信待ち時間を設定するためのランダムバックオフパラメータなどが含まれる。例えば、無線LAN設定情報作成部４０８は、無線LAN設定情報を作成し、無線LAN設定情報フレーム作成部４０９に入力する。
【００７３】
無線通信端末５０６は、セルラインタフェースにより、二次元コードを読み取ることにより取得したURLに対応するグローバルアドレスをネームサーバ５１２に問い合わせる（ステップＳ６１４）。接続先APのグローバルアドレス問い合わせフレーム作成部４１２は、接続先APのURI管理部４０７から無線LANアクセスポイントのURLを取得する。そして、接続先APのグローバルアドレス問い合わせフレーム作成部４１２は、接続先APのURI管理部４０７から取得した無線LANアクセスポイントのURLに対応する無線LANアクセスポイント５０２のグローバルアドレスを問い合わせるグローバルアドレス問い合わせフレームを作成し、セルラ送信部４１３を介して送信する。該グローバルアドレス問い合わせフレームは、通信網５１４を経由して、ネームサーバ５１２に受信される。ネームサーバ５１２は、無線通信端末５０６により送信されたグローバルアドレス問い合わせフレームに対する応答として、URLに対応するグローバルアドレスを含むグローバルアドレス応答フレームを送信する。該グローバルアドレス応答フレームは、通信網５１４を経由して、無線通信端末５０６に送信される。
【００７４】
無線通信端末５０６は、ステップ６１４による問い合わせに対する応答として、無線LANアクセスポイント５０２のグローバルアドレスを取得する（ステップＳ６１６）。該グローバルアドレスは、無線LANアクセスポイント５０２が所属するローカルネットワークに割り当てられているグローバルアドレスである。例えば、ネームサーバ５１２により送信されたグローバルアドレス応答フレームは、セルラ受信部４１１により受信される。セルラ受信部４１１は、該グローバルアドレス応答フレームを接続先APのURI管理部４０７に入力する。
【００７５】
無線LANアクセスポイント５０２は、無線LANインターフェースにより、当該無線LANアクセスポイント５０２のAP識別子を付帯したビーコンをブロードキャストする（ステップＳ６１８）。例えば、AP識別子通知フレーム作成部２０６は、AP識別子管理部２０５によりAP識別子を取得する。そして、AP識別子通知フレーム作成部２０６は、AP識別子を含むAP識別子通知フレームを作成し、無線LANフレーム送信部２０８から送信する。無線LANアクセスポイント５０２は、ビーコンの送信電力を微弱にしてもよい。例えば、送信電力制御部２０７は、AP識別子通知フレームの送信電力を微弱に制御する。送信電力を微弱にすることによりビーコンの到達エリアを狭くできるため、自宅外にAP識別子が漏洩するのを回避できる。換言すれば、自宅にいるユーザのみが、AP識別子を認識できる。なお、現時点では、無線LANアクセスポイント５０２には、無線LANの各設定項目が未設定である。従って、SSIDなどのIEEE802.11で記載することとなっているビーコン内の各値は未設定のままでも、任意の値を設定してもよい。無線通信端末５０６は、無線LANアクセスポイント５０２により送信されたビーコンを受信する。例えば、無線LANフレーム受信部４０１は、ビーコンを受信し、ビーコン解析部４０２に入力する。ビーコン解析部４０２は、ビーコンに含まれるAP識別子を無線LAN設定情報フレーム作成部４０９に入力する。
【００７６】
無線通信端末５０６は、無線LANインターフェースを介して、当該無線通信端末５０６の識別子(STA識別子)を含むプローブ要求フレームを送信する（ステップＳ６２０）。例えば、STA識別子通知フレーム作成部４０４は、STA識別子管理部４０３によりSTA識別子を取得する。そして、STA識別子通知フレーム作成部４０４は、STA識別子を含むプローブ要求フレームを作成し、無線LANフレーム送信部４０５から送信する。無線LANアクセスポイント５０２は、無線通信端末５０６により送信されたプローブ要求フレームを受信し、STA識別子を取得する。例えば、無線通信端末５０６により送信されたプローブ要求フレームは、無線LANフレーム受信部２０１により受信される。無線LANフレーム受信部２０１は、該プローブ要求フレームを受信RSSI解析部２０２に入力する。受信RSSI解析部２０２は、有効プローブ要求フレームをSTA識別子解析部２０３に入力する。STA識別子解析部２０３は、有効プローブ要求フレームに含まれるSTA識別子と共に、該有効プローブ要求フレームの受信時刻を受信情報正当性確認部２１１に入力する。無線LANアクセスポイント５０２がSTA識別子を取得することにより、当該無線LANアクセスポイント５０２に対して、無線LANの設定に関する指令を行う無線通信端末を認識させることができる。
【００７７】
なお、無線LANアクセスポイント５０２は、無線通信端末５０６から受信したプローブ要求フレームのうち、所定の受信強度以上のもののみを有効としてもよい。所定の受信強度以上のプローブ要求フレームのみを有効とすることにより、自宅外から悪意のあるものがプローブ要求フレームを送信しても、該プローブ要求フレームは受信強度が低い。受信強度が低いため、無線LANアクセスポイント５０２は、該プローブ要求フレームを有効としない。従って、自宅外から悪意のあるものが正規ユーザに成りすまし、無線LANアクセスポイント５０２に対して、無線LAN設定に関する指令を行う無線通信端末を認識させることを回避できる。上記により、無線LANアクセスポイント５０２と無線通信端末５０６との間で、識別子の交換が行われる。
【００７８】
ステップＳ６１６により無線通信端末５０６が、グローバルアドレスを取得した後に、該グローバルアドレスと無線LANアクセスポイント５０２に対する通信用ポート番号とを送信先に指定して、無線LAN設定情報を送信することもできる。しかし、ネームサーバ５１２により取得したグローバルアドレスと無線LANアクセスポイント５０２に対する通信用ポート番号とを送信先に指定して無線LAN設定情報を送信した場合には、問題が生じる。該問題とは、無線LANアクセスポイント５０２が、任意の無線通信端末５０６からの無線LAN設定情報を受け付けてしまう可能性があることである。無線LANアクセスポイント５０２が任意の無線通信端末５０６からの無線LAN設定情報を受け付けてしまう場合、該任意の無線通信端末５０６に悪意のあるユーザが含まれる場合に、該悪意のあるユーザにより無線LANアクセスポイント５０２の設定を変更される可能性がある。無線LANアクセスポイント５０２のURLは、出荷前から二次元コードに記録され、無線LANアクセスポイント５０２に貼り付けられている。従って、無線LANアクセスポイント５０２のURLはオープンな情報であるためである。
【００７９】
そこで、本実施形態では、無線LANアクセスポイント５０２と無線通信端末５０６との間で識別子の交換が行われることにより、悪意のあるユーザにより無線LANアクセスポイント５０２の設定が変更される問題を回避する。
【００８０】
無線通信端末５０６は、セルラインタフェースにより、無線LAN設定情報と、STA識別子、AP識別子を無線フレームに付帯して、ルータ５０８のグローバルアドレスを宛先として送信する（ステップＳ６２２）。例えば、無線LAN設定情報フレーム作成部４０９は、接続先APのURI管理部４０７、STA識別子管理部４０３、及びセルラ通信用識別子管理部４１０から、それぞれ無線LANアクセスポイントのグローバルアドレス、STA識別子、及びセルラ用識別子を取得する。そして、無線LAN設定情報フレーム作成部４０９は、無線LAN設定情報作成部４０８により入力された無線LAN設定情報と、ビーコン解析部４０２により入力されたAP識別子と、STA識別子とを含む無線LAN設定情報フレームを作成し、グローバルアドレスを宛先とし、セルラ用識別子を送信元として、セルラ送信部４１３により送信する。該無線LAN設定情報フレームは、通信網５１４及び５１０を経由して、ルータ５０８に転送される。
【００８１】
ルータ５０８は、ステップＳ６２２により無線通信端末５０６により送信された無線LAN設定情報フレームにより、当該ルータ５０８と無線LANアクセスポイント５０２との間に指定されたポート番号を認識する。そして、ルータ５０８は、ポートフォワード機能により無線LANアクセスポイント５０２に該無線フレームを転送する（ステップＳ６２４、Ｓ６２６）。ポートフォワード機能とは、ポート番号により、通信相手を振り分ける機能である。
【００８２】
無線LANアクセスポイント５０２は、ルータ５０８により転送されたフレームの正当性を確認する（ステップＳ６２８）。例えば、無線LANアクセスポイント５０２は、AP識別子の正当性と送信元の正当性とを確認する。例えば、無線LANアクセスポイント５０２は、ルータ５０８から受信した無線LAN設定情報フレームに含まれるAP識別子と当該無線LANアクセスポイント５０２のAP識別子とが一致するかを確認することによりAP識別子の正当性を判断する。また、無線LANアクセスポイント５０２は、無線LAN設定情報フレームに含まれるSTA識別子と、既に無線LANインターフェースを介して受信したプローブ要求フレームに含まれるSTA識別子とを比較することにより送信元の正当性を確認する。無線LANアクセスポイント５０２は、無線LAN設定情報フレームに含まれるSTA識別子とプローブ要求フレームに含まれるSTA識別子とが一致した場合、無線LAN設定情報フレームの送信元が正当であると判断する。無線LANアクセスポイント５０２は、無線LAN設定情報フレームに含まれるSTA識別子とプローブ要求フレームに含まれるSTA識別子とが一致しない場合、該無線LAN設定情報フレームの送信元が正当であると判断しない。無線LAN設定情報フレームの送信元が正当であると判断できない場合に、該無線LAN設定情報フレームを破棄するようにしてもよい。
【００８３】
例えば、ルータ５０８により転送された無線LAN設定情報フレームは有線通信用フレーム受信部２１３により受信され、無線LAN設定情報フレーム解析部２０９に入力される。無線LAN設定情報フレーム解析部２０９は、無線LAN設定情報フレームに含まれるSTA識別子、AP識別子、及び無線LAN設定情報を受信情報正当性確認部２１１に入力する。受信情報正当性確認部２１１は、AP識別子管理部２０５によりAP識別子を取得し、該AP識別子と無線LAN設定情報フレーム解析部２０９により入力されたAP識別子とが一致するかを確認する。また、受信情報正当性確認部２１１は、STA識別子解析部２０３により入力されたSTA識別子が、無線フレーム設定情報フレーム解析部２０９により入力されたSTA識別子と一致するかを確認する。また、受信情報正当性確認部２１１は、STA識別子解析部２０３により入力されたプローブ要求受信時刻から所定の期間内に、無線LAN設定情報フレームが受信されたかを確認するようにしてもよい。無線LANアクセスポイント５０２が、無線LANインターフェースによりプローブ要求フレームを受信してから、所定の時間内に有線ネットワークから受信した無線LAN設定情報のみを有効とすることにより、無線LANアクセスポイント５０２は、該無線LAN設定情報を含むフレームの送信元の無線通信端末は現時点で確かに自宅にいるということを認識できる。
【００８４】
ルータ５０８が、無線通信端末５０６が意図しない無線LANアクセスポイント５０４に無線LAN設定情報フレームを転送した場合、該無線LAN設定情報フレームに含まれるAP識別子は当該無線LANアクセスポイント５０４のAP識別子とは異なる。無線LANアクセスポイント５０４は、AP識別子が異なる場合、該無線LAN設定情報フレームは、当該無線LANアクセスポイント５０４宛に送信されたものでないと判断する。無線LANアクセスポイント５０４は、無線LAN設定情報フレームが当該無線LANアクセスポイント５０４宛に送信されたものでないと判断した場合、有線ネットワーク側に該無線LAN設定情報フレームをブロードキャストする。例えば、受信情報正当性確認部２１１は、該無線LAN設定情報フレームに含まれるAP識別子が当該無線LANアクセスポイント５０４のAP識別子と異なる場合、無線LAN設定情報フレームを有線通信用フレーム送信部２２０に入力する。有線通信用フレーム送信部２２０は、有線側ネットワークに、受信情報正当性確認部２１１により入力された無線LAN設定情報フレームをブロードキャストする。該無線LAN設定情報フレームがブロードキャストされることにより、無線LANアクセスポイント５０２は、無線LAN設定情報フレームを受信できる。
【００８５】
無線LANアクセスポイントがルータ５０８により転送された無線LAN設定情報フレームの宛先の正当性を確認することにより、ルータ５０８がポートフォワード機能により、無線通信端末５０６が意図しない無線LANアクセスポイントにフレームを転送した場合であっても、該無線LANアクセスポイントは、当該無線LANアクセスポイント宛のフレームではないことを認識できる。従って、ルータ５０８がポートフォワード機能により受信したフレームを無線LANアクセスポイントに振り分ける場合に生じる問題を解決できる。本実施形態では、ポート番号は一意に設定されているため、複数の無線LANアクセスポイントが存在する場合、ルータ５０８は、無線通信端末５０６が意図した無線LANアクセスポイントではない無線LANアクセスポイントに転送する可能性がある。例えば、ルータ５０８は、無線通信端末５０６が意図した無線LANアクセスポイント５０２ではなく、無線LANアクセスポイント５０４に転送する可能性がある。ルータ５０８がフレームを無線LANアクセスポイント５０４に転送した場合であっても、無線LANアクセスポイント５０４は、転送されたフレームの正当性を確認でき、当該無線LANアクセスポイント５０４宛のフレームではないことを認識できる。
【００８６】
ステップＳ６２８によりフレームの正当性が確認され、無線LAN設定情報が信頼できると判断された場合、無線LANアクセスポイント５０２は、該無線LAN設定情報を設定する（ステップＳ６３０）。例えば、受信情報正当性確認部２１１は、無線LAN設定情報フレームに含まれる情報に基づいて該情報の正当性を確認する。該確認の結果、正当であると判断した場合、受信情報正当性確認部２１１は、無線LAN設定情報及び該無線LAN設定情報を無線LANアクセスポイント５０２に設定するための設定命令を無線LANパラメータ設定部２１２に入力する。無線LANパラメータ設定部２１２は、受信情報正当性確認部２１１により入力された設定命令に従って無線LAN設定情報を設定する。
【００８７】
無線通信端末５０６と無線LANアクセスポイント５０２との間が、無線LANにより接続される（ステップＳ６３２）。
【００８８】
図６のステップＳ６１２の処理は、ステップＳ６１６の後に行うようにしてもよい。
【００８９】
ステップＳ６２８において、無線LAN設定情報の送信元の正当性確認は次のように行ってもよい。無線LANアクセスポイント５０２には、予め無線通信端末５０６がセルラインターフェースを介して通信する際に利用する識別子を登録しておく。そして、無線通信端末５０６が無線LAN設定情報と共にセルラ通信で利用する識別子を送信する。無線LANアクセスポイント５０２は、無線LAN設定情報を有線ネットワークから受信すると、該無線LAN設定情報と共に送信された識別子が、予め設定されたセルラ通信で利用する識別子とが一致するか判定する。該判定より、無線LAN設定情報の正当性を確認できる。
【００９０】
また、本実施形態では、無線通信端末５０６に、無線LANアクセスポイントが当該無線LANアクセスポイントのURLを、二次元コードを介して通知する場合について説明したが、他の方法により通知してもよい。例えば、無線LANアクセスポイントは、近距離無線通信技術や近接無線通信技術により当該無線LANアクセスポイントのURLを通知してもよい。具体的には、無線PAN(personal  area  network)に含まれる規格に従った通信方式を適用してもよいし、無線LANに含まれる規格に従った通信方式が適用されてもよい。無線LANに含まれる規格には、IEEE802.11a、IEEE802.11b、IEEE802.11g、及びIEEE802.11nなどが含まれる。無線PANに含まれる規格には、UWB(Ultra  Wide  Band)、ZigBee、及びBluetoothなどが含まれる。無線LANアクセスポイントが近距離無線通信技術により当該無線LANアクセスポイントのURLを通知することにより、無線LANアクセスポイントがカメラにより認識することができない場所に設置された場合でも、当該無線LANアクセスポイントのURLを通知できる。また、無線LANアクセスポイントは、赤外線通信技術により当該無線LANアクセスポイントのURLを通知してもよい。
【００９１】
また、無線LANアクセスポイントがAP識別子を付帯した無線LANビーコン内に、さらに当該無線LANアクセスポイントのURLを付帯して無線通信端末に通知してもよい。
【００９２】
＜第２の実施形態＞
＜無線通信システム＞
本実施形態に従った無線通信システムは、第１の実施形態と同様に、無線LANアクセスポイントと、無線通信端末とを有する。また、必要に応じて、ルータ、ネームサーバが含まれるようにしてもよい。第１の実施形態と同様に、無線通信端末は、無線WANインターフェースと無線LANインターフェースとを有するデュアルモード携帯端末である。無線通信端末５０６は、無線LANにおいては、無線LAN端末(STA:  Station)として機能する。
【００９３】
＜無線LANアクセスポイント＞
本無線LANアクセスポイントは、第１の実施形態に従った無線LANアクセスポイントとは予め固定のURLは埋め込まれていない点で異なる。予め固定のURLは埋め込まれていない点以外は、図１及び図２を参照して説明した第１の実施形態に従った無線LANアクセスポイントにより説明できる。
【００９４】
＜無線通信端末＞
本無線通信端末は、第１の実施形態に従った無線LANアクセスポイントと同様である。
【００９５】
＜本無線通信システムの動作＞
本無線通信システムの動作について説明する。
【００９６】
図８は、本無線LANアクセスポイントと本無線通信端末とが適用されるネットワークの一例を示す。
【００９７】
図８には、無線LANアクセスポイント(AP1)５０２と、無線LANアクセスポイント（AP2）５０４と、無線通信端末５０６と、ルータ５０８とが描かれている。図５に示されるネットワークとは、図８に示されるネットワークがネームサーバ５１２を有さず、通信網５１０と通信網５１４とが直接接続される点で異なる。
【００９８】
図９は、本無線通信システムの動作を示す。
【００９９】
以下、無線通信端末５０６が、無線LANアクセスポイント５０２に対して、無線LANの設定を行う方法について説明する。
【０１００】
ユーザは、無線LANアクセスポイント５０２を購入後、自宅のルータに接続する（ステップＳ９０２）。例えば、有線通信用フレーム受信部２１３及び有線通信用フレーム送信部２２０と、有線ネットワークとが接続される。
【０１０１】
無線LANアクセスポイント５０２は、ルータ５０８から、DHCPで、ローカルアドレスが割り当てられる（ステップＳ９０４）。無線LANアクセスポイント５０２は、ルータ５０８配下のローカルネットワークに接続される。無線LANアクセスポイント５０２は、ルータ５０８配下のローカルネットワークに接続される。例えば、有線通信用フレーム送信部２２０は、DHCPによりルータ５０８にアクセスすることにより、該ルータ５０８からローカルアドレスが割り当てられる。
【０１０２】
無線LANアクセスポイント５０２は、該ローカルネットワークに割り当てられたURI情報としてのグローバルアドレスを識別する（ステップＳ９０６）。例えば、有線通信用フレーム受信部２１３は、ルータ５０８からグローバルアドレスを取得する。そして、有線通信用フレーム受信部２１３は、グローバルアドレス解析部２１４に、グローバルアドレスを入力する。グローバルアドレス解析部２１４は、URI管理部２１６に、グローバルアドレスを入力する。
【０１０３】
無線LANアクセスポイント５０２は、無線LANインターフェースにより、ステップＳ９０６により取得したグローバルアドレスと、通信用ポート番号と、当該無線LANアクセスポイント５０２のAP識別子とを付帯したビーコンをブロードキャストする（ステップＳ９０８）。該通信用ポート番号は、ルータ５０８から当該無線LANアクセスポイント５０２へアクセスするための通信用ポート番号である。例えば、無線LANフレーム送信部２０８は、URI管理部２１６によりグローバルアドレス及びポート番号を取得し、該グローバルアドレス及びポート番号を含むビーコンを無線送信する。該無線LANフレームは、無線LANフレーム受信部４０１により受信され、ビーコン解析部４０２に入力される。ビーコン解析部４０２は、無線LANフレーム受信部４０１により入力された無線LANフレームに含まれるグローバルアドレス及びポート番号を接続先APのURI管理部４０７に入力する。
【０１０４】
無線通信端末５０６は、無線LANアクセスポイント５０２に設定すべき無線LAN設定情報を作成する（ステップＳ９１０）。無線LAN設定情報には、SSID、暗号化通信用鍵、周波数チャネル、ビーコン周期などが含まれる。暗号化通信用鍵は乱数を用いて算出されてもよい。暗号化通信用鍵が乱数を用いて算出されることにより、セキュリティを向上させることができる。例えば、無線LAN設定情報作成部４０８は、無線LAN設定情報を作成し、無線LAN設定情報フレーム作成部４０９に入力する。
【０１０５】
無線LANアクセスポイント５０２は、無線LANインターフェースにより、当該無線LANアクセスポイント５０２のAP識別子を付帯したビーコンをブロードキャストする（ステップＳ９１２）。例えば、AP識別子通知フレーム作成部２０６は、AP識別子管理部２０５によりAP識別子を取得する。そして、AP識別子通知フレーム作成部２０６は、AP識別子を含むAP識別子通知フレームを作成し、無線LANフレーム送信部２０８から送信する。無線LANアクセスポイント５０２は、ビーコンの送信電力を微弱にしてもよい。例えば、送信電力制御部２０７は、AP識別子通知フレームの送信電力を微弱に制御する。送信電力を微弱にすることによりビーコンの到達エリアを狭くできるため、自宅外にAP識別子が漏洩するのを回避できる。換言すれば、自宅にいるユーザのみが、AP識別子を認識できる。なお、現時点では、無線LANアクセスポイント５０２には、無線LANの各設定項目が未設定である。従って、SSIDなどのIEEE802.11で記載することとなっているビーコン内の各値は未設定のままでも、任意の値を設定してもよい。無線通信端末５０６は、無線LANアクセスポイント５０２により送信されたビーコンを受信する。例えば、無線LANフレーム受信部４０１は、ビーコンを受信し、ビーコン解析部４０２に入力する。ビーコン解析部４０２は、ビーコンに含まれるAP識別子を無線LAN設定情報フレーム作成部４０９に入力する。
【０１０６】
無線通信端末５０６は、無線LANインターフェースを介して、当該無線通信端末５０６の識別子(STA識別子)を含むプローブ要求フレームを送信する（ステップＳ９１４）。例えば、STA識別子通知フレーム作成部４０４は、STA識別子管理部４０３によりSTA識別子を取得する。無線LAN設定情報を作成したことをトリガーとして、取得するようにしてもよい。そして、STA識別子通知フレーム作成部４０４は、STA識別子を含むプローブ要求フレームを作成し、無線LANフレーム送信部４０５から送信する。無線LANアクセスポイント５０２は、無線通信端末５０６により送信されたプローブ要求フレームを受信し、STA識別子を取得する。例えば、無線通信端末５０６により送信されたプローブ要求フレームは、無線LANフレーム受信部２０１により受信される。無線LANフレーム受信部２０１は、該プローブ要求フレームを受信RSSI解析部２０２に入力する。受信RSSI解析部２０２は、有効プローブ要求フレームをSTA識別子解析部２０３に入力する。STA識別子解析部２０３は、有効プローブ要求フレームに含まれるSTA識別子と共に、該有効プローブ要求フレームの受信時刻を受信情報正当性確認部２１１に入力する。無線LANアクセスポイント５０２がSTA識別子を取得することにより、当該無線LANアクセスポイント５０２に対して、無線LANの設定に関する指令を行う無線通信端末を認識させることができる。
【０１０７】
なお、無線LANアクセスポイント５０２は、無線通信端末５０６から受信したプローブ要求フレームのうち、所定の受信強度以上のもののみを有効としてもよい。所定の受信強度以上のプローブ要求フレームのみを有効とすることにより、自宅外から悪意のあるものがプローブ要求フレームを送信しても、該プローブ要求フレームは受信強度が低い。受信強度が低いため、無線LANアクセスポイント５０２は、該プローブ要求フレームを有効としない。従って、自宅外から悪意のあるものが正規ユーザに成りすまし、無線LANアクセスポイント５０２に対して、無線LAN設定に関する指令を行う無線通信端末を認識させることを回避できる。上記により、無線LANアクセスポイント５０２と無線通信端末５０６との間で、識別子の交換が行われる。
【０１０８】
ステップＳ９１６−Ｓ９２６における処理は、図６を参照して説明したステップＳ６２２−Ｓ６３２の処理と同様である。
【０１０９】
本実施形態によれば、無線WANインターフェース及び無線LANインターフェースを有する無線通信端末と、有線ネットワークに接続される無線LANアクセスポイントとの間における無線通信制御方法が提供される。
【０１１０】
該無線通信制御方法では、前記無線LANアクセスポイントは、当該無線LANアクセスポイントのユーアールアイ情報を取得する、有線通信用フレーム受信部２１３及びグローバルアドレス解析部２１４により実行されるユーアールアイ情報取得ステップと、前記無線通信端末に、前記ユーアールアイ情報取得ステップにより取得されたユーアールアイ情報を含むビーコンを取得させる、URI情報通知部２１５及び／又は無線LANフレーム送信部２０８により実行されるユーアールアイ情報通知ステップと、前記無線LANインターフェースにより、当該無線LANアクセスポイントの識別子をブロードキャストする、AP識別子通知フレーム作成部２０６、無線LANフレーム送信部２０８により実行される無線LANアクセスポイント識別子通知ステップと、前記無線通信端末によりブロードキャストされた無線フレームに含まれる無線通信端末の識別子を取得する、無線LANフレーム受信部２０１、受信RSSI解析部２０２及びSTA識別子解析部２０３により実行される無線通信端末識別子取得ステップと、前記有線ネットワーク側から、前記無線通信端末により送信された無線LAN設定情報フレームを受信する、有線通信用フレーム受信部２１３及び無線LAN設定情報フレーム解析部２０９により実行される無線LAN設定情報フレーム受信ステップと、該無線LAN設定情報フレーム受信ステップにより受信された無線LAN設定情報フレームに含まれる無線LANアクセスポイントの識別子及び無線端末の識別子に基づいて、無線LAN設定情報の正当性を判断する、受信情報正当性確認部２１１により実行される正当性判断ステップと、該正当性判断ステップにより前記無線LAN設定情報フレーム受信ステップにより受信された無線LAN設定情報フレームに含まれる無線LAN設定情報が正当であると判断された場合に、該無線LAN設定情報を設定する、無線LANパラメータ設定部２１２により実行される無線LAN設定情報設定ステップとを有する。
【０１１１】
前記無線通信端末は、前記無線LANアクセスポイントのユーアールアイ情報を取得する、無線LANフレーム受信部４０１及びビーコン解析部４０２により実行されるユーアールアイ情報取得ステップと、前記無線LANアクセスポイントによりブロードキャストされた該無線LANアクセスポイントの識別子を受信する、無線LANフレーム受信部４０１及びビーコン解析部４０２により実行される無線LANアクセスポイント識別子受信ステップと、無線LANインターフェースにより、当該無線通信端末の識別子を付帯した無線フレームをブロードキャストする、STA識別子通知フレーム作成部４０４及び無線LANフレーム送信部４０５により実行される無線通信端末識別子通知ステップと、前記無線LANアクセスポイントに対する無線LAN設定に関する無線LAN設定情報を作成する、無線LAN設定情報作成部４０８により実行される無線LAN設定情報作成ステップと、前記無線WANインターフェースにより、前記ユーアールアイ情報受信ステップにより受信された前記無線LANアクセスポイントのユーアールアイ情報に基づいて決定される宛先に、前記無線LAN設定情報作成ステップにより作成された無線LAN設定情報と、前記無線LANアクセスポイント識別子受信ステップにより受信された前記無線LANアクセスポイントの識別子と、当該無線端末の識別子とを含む無線LAN設定情報フレームを送信する、無線LAN設定情報フレーム作成部４０９及びセルラ送信部４１３により実行される無線LAN設定情報フレーム送信ステップとを有する。
【０１１２】
本方法によれば、無線LANアクセスポイントは、当該無線LANアクセスポイントのURI情報を無線通信端末に認識させることができる。そして、無線LANアクセスポイントにおける有線ネットワークへの接続設定、無線LANに関する設定を、ユーザが手入力することなく実現することができる。無線LANアクセスポイントにおける有線ネットワークへの接続設定、無線LANに関する設定を、ユーザが手入力することなく実現することができるため、無線LANアクセスポイントの設定におけるユーザの利便性と向上させることができる。
【０１１３】
また、前記無線LANアクセスポイントは、当該無線LANアクセスポイントのユーアールエルを登録する、URI管理部２１６により実行されるユーアールエル登録ステップと、ネームサーバに、前記ユーアールエル登録ステップにより登録されたユーアールエルと、当該無線LANアクセスポイントが属するローカルネットワークのグローバルアドレスとの対応を登録するように要求する、URL登録要求フレーム作成部２１９及び有線通信用フレーム送信部２２０により実行される登録要求ステップと、前記無線通信端末に、前記ユーアールエル登録ステップにより登録されたユーアールエルを認識させる、URI情報通知部２１５により実行されるユーアールエル通知ステップとを有する。
【０１１４】
前記無線通信端末は、前記無線LANアクセスポイントのユーアールエルを取得する、URI情報受信部４０６により実行されるユーアールエル取得ステップと、前記無線WANインターフェースにより、前記ユーアールエル取得ステップにより取得されたユーアールエルに対応するグローバルアドレスを前記ネームサーバに要求する、接続先APのグローバルアドレス問い合わせフレーム作成部４１２及びセルラ送信部４１３により実行されるグローバルアドレス要求ステップとを有する。前記ユーアールアイ情報取得ステップでは、前記グローバルアドレス要求ステップによる要求に対する応答として前記ネームサーバにより送信された前記無線LANアクセスポイントのグローバルアドレスを取得する。
【０１１５】
本方法によれば、無線LANアクセスポイントは、当該無線LANアクセスポイントに予めURLを設定でき、さらに、該URLにグローバルアドレスを対応付けることができる。そして、無線通信端末にURLを認識させることができる。
【０１１６】
また、前記ユーアールアイ情報取得ステップでは、前記無線LANアクセスポイントに付された前記無線LANアクセスポイントのユーアールアイを読み取ることにより、前記無線LANアクセスポイントのユーアールアイ情報を取得する。
【０１１７】
本方法によれば、無線LANアクセスポイントのURIを二次元バーコードなどの画像情報に変換して無線通信端末に認識させることができる。近年の大多数の無線通信端末はカメラを搭載しているため、実装コストの抑制を図ることができる。
【０１１８】
また、前記ユーアールアイ情報取得ステップでは、前記無線LANアクセスポイントとの間で、近距離無線通信技術又は近接無線通信技術により無線通信を行うことにより前記無線LANアクセスポイントのユーアールアイ情報を取得する。
【０１１９】
本方法によれば、無線LANアクセスポイントと無線通信端末との間で、互いの近接無線通信用インターフェースを重ねあわせることで無線LANアクセスポイントのURIを無線通信端末に認識させることができる。近接無線インターフェースを重ね合わせる作業はユーザにとって非常に容易であり、また、当該無線電波が周囲へ漏れる恐れが極めて小さいため、セキュリティの面でも有効である。無線LANアクセスポイントのURIを赤外線通信によって無線通信端末に認識させるようにしてもよい。無線LANアクセスポイントのURIをBluetoothによって無線通信端末に認識させるようにしてもよい。
【０１２０】
また、前記ユーアールアイ情報通知ステップでは、前記無線LANインターフェースにより、前記ユーアールアイ情報取得ステップにより取得されたユーアールアイ情報を付帯した無線LANフレームを無線送信し、前記ユーアールアイ情報取得ステップでは、前記ユーアールアイ情報通知ステップにより無線送信された無線LANフレームを受信することにより、前記無線LANアクセスポイントのユーアールアイ情報を取得する。
【０１２１】
本方法によれば、無線LANアクセスポイントのURIを無線LANによって無線通信端末に認識させることができる。
【０１２２】
前記無線LAN設定情報作成ステップでは、前記無線LANアクセスポイントのエスエスアイディー、無線LAN通信用の暗号鍵、無線LAN通信で利用する周波数チャネル、前記無線LANアクセスポイントのビーコンの送信周期、前記無線LANアクセスポイント及び無線LANセルに収容される前記無線LAN通信端末のランダムバックオフパラメータのいずれか１つを作成する。
【０１２３】
本方法によれば、無線LANアクセスポイントに設定させるSSIDを無線通信端末内で自動的に生成させることができる。SSIDを無線通信端末内で自動的に生成させることにより、ユーザの手入力が不要となり、ユーザ負担の軽減を図ることができる。また、無線LAN通信で用いる暗号化キーを無線通信端末内で自動的にランダムな値として生成することができるため、ユーザの手入力が不要となり、ユーザ負担が軽減される。また、値がランダムになるためセキュリティの向上を図ることもできる。
【０１２４】
一般的には、無線LANアクセスポイントが周囲の無線環境について全周波数チャネルをスキャンして適切な周波数チャネルを決定し、さらに無線通信端末が前記無線LANアクセスポイントの設定した周波数チャネルを探索するために全周波数チャネルをスキャンするという手順となる。本方法によれば、予め無線通信端末が無線LANアクセスポイントと無線LANで使用する周波数チャネルを決定するので、効率的な無線LAN接続を図ることができる。
【０１２５】
一般にビーコン周期は無線LANアクセスポイントに対して、ユーザが手入力することになるが、本方法によれば、無線通信端末内に自動的にビーコン周期を決定するので、ユーザ負担の軽減になる。
【０１２６】
通常の無線LAN通信ではCWminやCWmaxといったランダムバックオフパラメータはユーザの手入力やデフォルト値によって設定される。ランダムバックオフパラメータが大きければ送信待ち時間が長くなり、送信権獲得の優先度は下がる。逆にランダムバックオフパラメータが小さければ送信待ち時間が長くなり、送信権獲得の優先度は上がる。本方法によれば無線通信端末が無線LANアクセスポイントのランダムバックオフパラメータを自動的に決定するので、無線LANアクセスポイントの送信優先度を配下の無線通信端末よりも高く設定したり、低く設定したりできるため、通信品質制御に貢献できる。
【０１２７】
前記ユーアールアイ情報通知ステップでは、前記無線LANインターフェースにより、当該無線LANアクセスポイントの属するネットワークのグローバルアドレス及び当該無線LANアクセスポイントと通信可能なポート番号を含むビーコンを無線送信し、前記ユーアールアイ情報取得ステップでは、前記無線LANアクセスポイントにより送信された前記グローバルアドレス及びポート番号を受信し、前記無線LAN設定情報フレーム送信ステップでは、前記ユーアールアイ情報取得ステップにより取得された前記グローバルアドレス及びポート番号を宛先とする。
【０１２８】
本方法によれば、無線LANアクセスポイントは、当該無線LANアクセスポイントが属するローカルネットワークに割り当てられたグローバルアドレス及び通信ポート番号を無線通信端末に認識させることができる。無線通信端末は無線LANアクセスポイントのURLを分かっている際に、セルラを用いて無線LANアクセスポイントの送信先として設定すべきグローバルアドレスを認識することができる。
【０１２９】
前記無線LAN設定情報フレーム送信ステップでは、前記ユーアールアイ情報取得ステップにより取得受信された前記グローバルアドレス、及び前記無線LANアクセスポイントと通信可能なポート番号を宛先とする。
【０１３０】
本方法によれば、無線LANアクセスポイントは、当該無線LANアクセスポイントが所属するローカルネットワークのグローバルアドレスと通信ポート番号を無線通信端末に通知することができる。また、無線通信端末は無線LANアクセスポイントに対してセルラを利用してフレームを送信することができる。
【０１３１】
前記無線通信端末は、前記正当性判断ステップでは、前記無線LAN設定情報フレーム受信ステップにより受信された無線LAN設定情報フレームに含まれる無線通信端末の識別子が、前記無線通信端末識別子取得ステップにより前記無線通信端末によりブロードキャストされた無線フレームから取得された無線通信端末の識別子と一致する場合に、該無線LAN設定情報が正当であると判断する。
【０１３２】
本方法によれば、無線LANアクセスポイントが有線ネットワーク側から受信した無線LAN設定情報の送信元が、当該無線LANアクセスポイントから物理的に近い場所に存在することを確認できるため、セキュリティの向上を図ることができる。
【０１３３】
無線通信端末識別子取得ステップでは、受信強度が所定以上の無線フレームに含まれる無線通信端末の識別子を有効とする。
【０１３４】
本方法によれば、無線LANアクセスポイントが複数の送信元から有線ネットワーク経由で無線LAN設定情報を受信した場合に、信頼できる送信元を判定することができるため、無線LANアクセスポイントから物理的に距離の遠い場所にいる悪意のある者からのアクセスを拒否することが可能となり、セキュリティの向上を図ることができる。
【０１３５】
前記正当性判断ステップでは、前記無線通信端末識別子取得ステップにより無線通信端末の識別子が取得されてから、所定の期間内に、前記無線LAN設定情報受信ステップにより受信された無線通信端末の識別子を有効とする。
【０１３６】
本方法によれば、無線LANアクセスポイントが有線ネットワーク経由で無線LAN設定情報を受信した時刻において、当該無線LAN設定情報の送信元の無線通信端末が無線LANアクセスポイントから物理的に距離の近い場所に存在することを確認できるので、セキュリティ向上を図ることができる。
【０１３７】
前記無線通信端末識別子通知ステップでは、当該無線通信端末が無線WAN通信で使用する識別子をブロードキャストし、前記正当性判断ステップでは、前記無線通信端末識別子取得ステップにより取得された無線通信端末が無線WAN通信で使用する識別子が、当該無線LANアクセスポイントに予め登録された前記無線通信端末が無線WAN通信で使用する識別子と一致する場合に、正当であると判断する。
【０１３８】
本方法によれば、無線LANアクセスポイントが有線ネットワーク経由で無線LAN設定情報を受信した際に、無線通信端末のセルラ通信で用いられる識別子を用いることで当該無線LAN設定情報の送信元を特定することができるので、セキュリティ向上を図ることができる。
【０１３９】
前記正当性判断ステップでは、前記無線LAN設定情報受信ステップにより受信された無線LAN設定情報フレームに含まれる無線LANアクセスポイントの識別子と、当該無線LANアクセスポイントの識別子とが一致する場合に、前記無線LAN設定情報が正当であると判断する。
【０１４０】
本方法によれば、無線LANアクセスポイントが有線ネットワーク経由で無線LAN設定情報を受信した際に、該無線LAN設定情報が確かに当該無線LANアクセスポイント宛であり、かつ、当該無線LANアクセスポイントら無線LAN通信範囲内の物理的距離に送信元の無線通信端末が存在することを確認できるので、セキュリティ向上を図ることができる。
【０１４１】
前記無線LANアクセスポイント識別子通知ステップでは、当該無線LANアクセスポイントの識別子を送信する際に、到達距離が短くなるように送信電力を制限する。
【０１４２】
本方法によれば、無線LANアクセスポイントが有線ネットワーク経由で無線LAN設定情報を受信した際に、該無線LAN設定情報の送信元が、当該無線LANアクセスポイントから物理的に非常に近距離に送信元の無線通信端末が存在することを確認できるため、セキュリティの向上を図ることができる。
【０１４３】
前記無線LANアクセスポイントは、前記正当性判断ステップにより前記無線LAN設定情報フレーム受信ステップにより受信された無線LAN設定情報フレームが当該無線LANアクセスポイント宛でないと判断された場合に、有線ネットワーク側に、前記無線LAN設定情報フレームをブロードキャストする、受信情報正当性確認部２１１及び有線通信用フレーム送信部２２０により実行される無線LAN設定情報フレームブロードキャストステップ有する。
【０１４４】
本方法によれば、同一のローカルネットワークに複数の無線LANアクセスポイントが存在する場合にも、無線通信端末が意図した正しい無線LANアクセスポイントに無線LAN設定情報を届けることができる。そして、無線LANアクセスポイントは無線通信端末から送信された無線LAN設定情報を当該無線LANアクセスポイントに自動的に設定するため、ユーザの手入力を省くことが可能となり、ユーザ負担の軽減を図ることができ、さらに、信頼できる無線LAN設定情報のみを設定するため、セキュリティの向上も図ることができる。
【０１４５】
説明の便宜上、発明の理解を促すため具体的な数値例を用いて説明されるが、特に断りのない限り、それらの数値は単なる一例に過ぎず適切な如何なる値が使用されてよい。
【０１４６】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０１４７】
１０１  中央演算処理装置(CPU:  Central  Processing  Unit)
１０２  ROM(Read  Only  Memory)
１０３  RAM(Random  Access  Memory)
１０４  操作部
１０５  無線通信部
１０６  ディスプレイ
１０７  有線通信部
２０１  無線LANフレーム受信部
２０２  受信RSSI(Received  Signal  Strength  Indicator)解析部
２０３  無線LAN端末(STA:  Station)識別子解析部
２０４  時刻制御部
２０５  アクセスポイント(AP:  Access  Point)識別子管理部
２０６  AP識別子通知フレーム作成部
２０７  送信電力制御部
２０８  無線LANフレーム送信部
２０９  無線LAN設定情報フレーム作成部
２１０  STAのセルラ通信用識別子管理部
２１１  受信情報正当性確認部
２１２  無線LANパラメータ設定部
２１３  有線通信用フレーム受信部
２１４  グローバルアドレス解析部
２１５  ユーアールアイ(URI:  Uniform  Resource  Identifier)情報通知部
２１６  URI管理部
２１７  通信ポート設定部
２１８  ユーアールエル(URL:  Uniform  Resource  Locator)管理部
２１９  URL登録要求フレーム作成部
２２０  有線通信用フレーム送信部
３０１  中央演算処理装置(CPU:  Central  Processing  Unit)
３０２  ROM(Read  Only  Memory)
３０３  RAM(Random  Access  Memory)
３０４  操作部
３０５  無線通信部
３０６  ディスプレイ
３０７  カメラ
４０１  無線LANフレーム受信部
４０２  ビーコン解析部
４０３  STA識別子管理部
４０４  STA識別子通知フレーム作成部
４０５  無線LANフレーム送信部
４０６  URI情報受信部
４０７  接続先APのURI管理部
４０８  無線LAN設定情報作成部
４０９  無線LAN設定情報フレーム作成部
４１０  セルラ通信用識別子管理部
４１１  セルラ受信部
４１２  接続先APのグローバルアドレス問い合わせフレーム作成部
４１３  セルラ送信部
５０２  無線LANアクセスポイント
５０４  無線LANアクセスポイント
５０６  無線通信端末
５０８  ルータ
５１０  通信網
５１２  ネームサーバ
５１４  通信網
【図１】
2010258783.tif 000003
【図２】
2010258783.tif 000004
【図３】
2010258783.tif 000005
【図４】
2010258783.tif 000006
【図５】
2010258783.tif 000007
【図６】
2010258783.tif 000008
【図７】
2010258783.tif 000009
【図８】
2010258783.tif 000010
【図９】
2010258783.tif 000011